(57)【特許請求の範囲】
【請求項１】
放送信号を受信する受信手段と、受信した放送信号を記録する記録手段と、放送記録データを再生する再生手段とを備えた放送受信記録再生装置であって、
上記放送受信記録再生装置は、受信した放送信号の記録である放送記録データを記録可能な内部の記録領域と外部の記録領域とを利用可能であり、
上記記録手段は、上記放送記録データを上記内部の記録領域に記録するものであり、
上記記録手段が記録しようとする上記放送記録データの容量が、上記内部の記録領域における空き領域の容量を超える場合、上記内部の記録領域から、記録済みの放送記録データを選択し、上記外部の記録領域に移動する退避手段と、
上記外部の記録領域に記録されている放送記録データであって、上記内部の記録領域における空き領域の容量以下のデータ容量をもつ放送記録データを、上記外部の記録領域から、上記内部の記録領域に転送する転送手段とを備えることを特徴とする放送受信記録再生装置。
【請求項２】
放送記録データの再生が指示されると、再生すべき放送記録データが上記内部の記録領域に記録されている場合は、上記内部の記録領域に記録されている放送記録データを再生するよう上記再生手段に指示する一方、
再生すべき放送記録データが、上記外部の記録領域に記録されている場合は、上記再生すべき放送記録データを上記外部の記録領域から上記内部の記録領域に転送するとともに、該内部の記録領域に転送された上記放送記録データを再生するよう上記再生手段に指示する再生制御手段をさらに備え、
さらに、上記退避手段は、上記再生制御手段が転送しようとする放送記録データの記録容量が、上記内部の記録領域における空き領域の容量を超える場合は、内部の記録領域から、記録済みの放送記録データを選択し、外部の記録領域に移動することを特徴とする請求項１に記載の放送受信記録再生装置。
【請求項３】
さらに、再生が完了した放送記録データを削除する削除手段をさらに備えることを特徴とする請求項２に記載の放送受信記録再生装置。
【請求項４】
上記転送手段は、上記外部の記録領域から上記内部の記録領域への放送記録データの転送を、記録手段によって内部の記録領域に記録された日時の新しい順に行うことを特徴とする請求項１に記載の放送受信記録再生装置。
【請求項５】
さらに、上記転送手段は、上記内部の記録領域から放送記録データが削除されたときに、上記外部の記録領域から上記内部の記録領域への放送記録データの転送を行うことを特徴とする請求項１に記載の放送受信記録再生装置。
【請求項６】
上記退避手段が、上記内部の記録領域から上記外部の記録領域に移動すべき上記記録済みの放送記録データを選択する基準は、上記放送記録データの記録日時の古い順であることを特徴とする請求項１または２に記載の放送受信記録再生装置。
【請求項７】
さらに、上記外部の記録領域に記録されている放送記録データを削除するための指示である削除指示を行う外部記録領域解放手段を備えることを特徴とする請求項１に記載の放送受信記録再生装置。
【請求項８】
上記外部記録領域解放手段は、上記外部の記録領域における空き領域の容量に基づいて、上記削除指示を行うことを特徴とする請求項７に記載の放送受信記録再生装置。
【請求項９】
上記外部記録領域解放手段が、上記削除指示を行うとき、外部の記録領域に記録されている放送記録データを選択する基準は、放送記録データが記録手段によって内部の記録領域に記録された日時について古い順であることを特徴とする請求項７に記載の放送受信記録再生装置。
【請求項１０】
上記放送受信記録再生装置は、さらに、上記内部の記録領域および上記外部の記録領域に記録されている放送記録データに関する一覧であるデータ一覧を作成して表示させるデータ一覧作成手段を備えることを特徴とする請求項１に記載の放送受信記録再生装置。
【請求項１１】
上記データ一覧作成手段は、上記データ一覧において、放送記録データに関連付けられた識別子であって、上記内部の記録領域もしくは上記外部の記録領域の何れに記録されているかを識別可能な識別子を各放送記録データに付して表示させることを特徴とする請求項１０に記載の放送受信記録再生装置。
【請求項１２】
上記外部の記録領域は、ネットワークを介して利用可能なサーバ装置に備えられていることを特徴とする請求項１に記載の放送受信記録再生装置。
【請求項１３】
放送信号を用いて放送される番組について、該番組の内容に関する情報と、上記番組が放送されるスケジュールに関する情報とを含む番組情報を取得する番組情報取得手段と、
ユーザの嗜好を示す嗜好情報を取得する嗜好情報取得手段と、
上記嗜好情報取得手段が取得した嗜好情報に応じた番組を抽出する番組抽出手段と、
上記番組抽出手段が抽出した上記番組の番組情報に基づいて、抽出された番組の放送信号の記録を上記記録手段に指示する記録指示手段とをさらに備えることを特徴とする請求項１または２に記載の放送受信記録再生装置。
【請求項１４】
上記嗜好情報取得手段は、上記放送記録データに対するユーザの嗜好性の度合いを示す嗜好度を取得するものであり、
上記内部の記録領域および外部の記録領域は、上記放送記録データに関連付けて、ユーザの上記放送記録データに対する嗜好の度合いを示す嗜好度を記録でき、
上記退避手段は、内部の記録領域に記録されている放送記録データについて、該放送記録データに関連付けられている嗜好度が低い順に基づいて、上記内部の記録領域から、上記外部の記録領域に移動すべき上記記録済みの放送記録データを選択することを特徴とする請求項１３に記載の放送受信記録再生装置。
【請求項１５】
上記外部の記録領域に記録されている放送記録データを削除するための指示である削除指示を行う外部記録領域解放手段をさらに備え、
上記嗜好情報取得手段は、上記放送記録データに対するユーザの嗜好性の度合いを示す嗜好度を取得するものであり、
上記内部の記録領域および外部の記録領域は、上記放送記録データに関連付けて、ユーザの上記放送記録データに対する嗜好の度合いを示す嗜好度を記録でき、
上記外部記録領域解放手段は、外部の記録領域に記録されている放送記録データについて、該放送記録データに関連付けられている嗜好度が低い順に基づいて、上記削除指示を行うことを特徴とする請求項１３に記載の放送受信記録再生装置。
【請求項１６】
上記外部の記録領域に記録されている放送記録データであって、上記内部の記録領域における空き領域の容量以下のデータ容量をもつ放送記録データを、上記外部の記録領域から、上記内部の記録領域に転送する転送手段をさらに備え、
上記嗜好情報取得手段は、上記放送記録データに対するユーザの嗜好性の度合いを示す嗜好度を取得するものであり、
上記内部の記録領域および外部の記録領域は、上記放送記録データに関連付けて、ユーザの上記放送記録データに対する嗜好の度合いを示す嗜好度を記録でき、
上記転送手段は、外部の記録領域に記録されている放送記録データについて、該放送記録データに関連付けられている嗜好度が高い順に基づいて、上記外部の記録領域から上記内部の記録領域への放送記録データの転送を行うことを特徴とする請求項１３に記載の放送受信記録再生装置。
【請求項１７】
請求項１２に記載の放送受信記録再生装置と、放送記録データを記録することのできる記録領域を備えるサーバ装置とを備えることを特徴とする放送受信記録再生システム。
【請求項１８】
放送信号を受信し、受信した放送信号を記録し、放送記録データを再生することが可能な放送受信記録再生装置の制御方法であって、
上記放送受信記録再生装置は、受信した放送信号の記録である放送記録データを記録可能な内部の記録領域と外部の記録領域とを利用可能であり、
受信した放送信号を記録しようとする際、上記放送記録データの容量が、上記内部の記録領域における空き領域の容量を超える場合、上記内部の記録領域から、記録済みの放送記録データを選択し、上記外部の記録領域に移動する退避ステップと
受信した放送信号を、上記内部の記録領域に記録する記録ステップと、
上記外部の記録領域に記録されている放送記録データであって、上記内部の記録領域における空き領域の容量以下のデータ容量をもつ放送記録データを、上記外部の記録領域から、上記内部の記録領域に転送する転送ステップとを含むことを特徴とする放送受信記録再生装置の制御方法。
【請求項１９】
請求項１から１６までの何れか１項に記載の放送受信記録再生装置を動作させる放送受信記録再生装置制御プログラムであって、コンピュータを上記の各手段として機能させるための放送受信記録再生装置制御プログラム。
【請求項２０】
請求項１９に記載の放送受信記録再生装置制御プログラムを記録したコンピュータ読み取り可能な記録媒体。
【発明の詳細な説明】
【技術分野】
【０００１】
本発明は、受信した放送を記録する記録手段を備えた放送受信記録再生装置およびその制御方法、放送受信記録再生システム、放送受信記録再生装置制御プログラム、並びに該プログラムを記録した記録媒体に関するものである。
【背景技術】
【０００２】
近年、携帯電話機の性能の進歩、特にその多機能化は著しく、もはや電話機と呼ぶよりは、携帯型のコンピュータと呼ぶほうがふさわしい。携帯電話機には、電話機能に加えて、インターネットアクセス機能、音楽再生機能やテレビジョン受像機能（以下、ＴＶ機能と略称する）も備えられている。
【０００３】
携帯電話機のＴＶ機能の利用シーンとしては、電車やバスなど交通機関利用中や待ち合わせ場所等の外出先で利用することが多い。つまり、見たい番組を視聴するためにＴＶ機能を利用することは少なく、外出先において時間が空いているときに見たい番組を放送していれば視聴するという場合が多い。しかし、外出先において見たい番組をいつも放送しているとは限らず、ＴＶ機能が有効に活用されているとは言いがたい。
【０００４】
このような問題点に対し、例えば、ハードディスクレコーダのように見たい番組を携帯電話機内のメモリ（脱着可能なメモリカード含む）に録画しておき、時間が空いているときに視聴するといった録画機能も搭載されつつある。また、ハードディスクレコーダなどでは、特許文献１のようにユーザの嗜好情報に基づいて番組を自動録画する機能を備えたものもある。
【０００５】
また、特許文献２のように、サーバから配信された番組表を携帯電話機で参照して所望の番組をサーバに録画し、録画した番組データをサーバから携帯電話機に送信して視聴するような方法も提案されている。
【特許文献１】特許第３３５１０５８号（１９９５年５月２３日公開）
【特許文献２】特開２００３−３３９０４１号公報（２００３年１１月２８日公開）
【発明の開示】
【発明が解決しようとする課題】
【０００６】
しかしながら、特許文献１のような自動録画に関する技術については、携帯電話機内のメモリのように、動画情報のデータ容量に対して、記録可能な容量の制限が厳しい記録領域に録画する場合、容量的に数番組から十数番組くらいしか録画できないので、すぐに記録可能な容量を使い切ってしまい録画できなくなるという問題がある。
【０００７】
また、特許文献２の技術のように、サーバに録画する場合は、上記のような携帯電話機内のメモリ容量に関する制限をある程度解決できることが期待できるが、再生する際に毎回サーバに接続して視聴する必要がある。そのため、事前にダウンロードする時間が必要となるか、あるいはリアルタイムで視聴できるだけの通信速度を確保する必要が生じてくる。
【０００８】
本発明は、上記の問題点を鑑みてなされたものであり、その目的は、携帯電話機内のメモリ等のように、記録可能な領域の容量に厳しい制限がある記録領域に番組データを録画する場合、容量不足を気にすることなく録画を行うことができる放送受信記録再生装置を提供することにある。
【課題を解決するための手段】
【０００９】
本発明に係る放送受信記録再生装置は、上記課題を解決するために、受信した放送信号の記録である放送記録データを記録可能な内部の記録領域と外部の記録領域とを利用可能であり、上記記録手段は、上記放送記録データを上記内部の記録領域に記録するものであり、上記記録手段が記録しようとする上記放送記録データの容量が、上記内部の記録領域における空き領域の容量を超える場合、上記内部の記録領域から、記録済みの放送記録データを選択し、上記外部の記録領域に移動する退避手段を備えることを特徴としている。
【００１０】
また、本発明に係る放送受信記録再生装置の制御方法は、上記課題を解決するために、受信した放送信号の記録である放送記録データを記録可能な内部の記録領域と外部の記録領域とを利用可能であり、受信した放送信号を記録しようとする際、上記放送記録データの容量が、上記内部の記録領域における空き領域の容量を超える場合、上記内部の記録領域から、記録済みの放送記録データを選択し、上記外部の記録領域に移動する退避ステップと受信した放送信号を、上記内部の記録領域に記録する記録ステップとを含むことを特徴としている。
【００１１】
上記構成によると、まず、放送記録データは記録手段によって内部の記録領域に記録される。ここで、上記放送記録データの記録容量が、内部の記録領域における空き領域の容量を超えてしまうような場合には、退避手段が、内部の記録領域から外部の記録領域へ、記録済みの放送記録データを移動する。このため、内部の記録領域の容量不足を気にすることなく放送記録データを記録することが可能となる。すなわち、効率的な記録領域の活用を図ることができる。
【００１２】
本発明に係る放送受信記録再生装置は、上記の構成において、放送記録データの再生が指示されると、再生すべき放送記録データが上記内部の記録領域に記録されている場合は、上記内部の記録領域に記録されている放送記録データを再生するよう上記再生手段に指示する一方、再生すべき放送記録データが、上記外部の記録領域に記録されている場合は、上記再生すべき放送記録データを上記外部の記録領域から上記内部の記録領域に転送するとともに、該内部の記録領域に転送された上記放送記録データを再生するよう上記再生手段に指示する再生制御手段をさらに備え、さらに、上記退避手段は、上記再生制御手段が転送しようとする放送記録データの記録容量が、上記内部の記録領域における空き領域の容量を超える場合は、内部の記録領域から、記録済みの放送記録データを選択し、外部の記録領域に移動することが好ましい。
【００１３】
この場合、退避手段によって、外部の記録領域へ移動された放送記録データであっても、再生制御手段が、外部の記録領域から内部の記録領域に上記放送記録データを転送するよう指示し、再生手段が内部の記録領域に転送された上記放送記録データを再生できるよう制御する。
【００１４】
そのため、ユーザは、何れの領域に再生しようとしている放送記録データが存在するかを別段意識することがなく、放送記録データの再生を指示すれば、その放送記録データを再生することができる。
【００１５】
ここで、上記再生制御手段が転送しようとする放送記録データの記録容量が、内部の記録領域における空き領域の容量を超えてしまう場合には、退避手段が、内部の記録領域から外部の記録領域へ、記録済みの放送記録データを移動する。このため、内部の記録領域の容量不足を気にすることなく放送記録データを再生することが可能となる。
【００１６】
また、本発明に係る放送受信記録再生装置では、上記の構成において、再生が完了した放送記録データを削除する削除手段をさらに備えていることが好ましい。
【００１７】
上記の構成によると、再生手段は、再生が完了した放送記録データを削除する。このため、削除した放送記録データの容量分、内部の記録領域に記録可能領域の容量が増大するので、内部の記録領域に対して、さらなる、放送記録データの記録もしくはデータ転送が可能となる。
【００１８】
また、本発明に係る放送受信記録再生装置では、上記の構成において、上記外部の記録領域に記録されている放送記録データであって、上記内部の記録領域における空き領域の容量以下のデータ容量をもつ放送記録データを、上記外部の記録領域から、上記内部の記録領域に転送する転送手段をさらに備えていることが好ましい。
【００１９】
上記の構成によると、外部の記録領域に記録されている放送記録データであって、内部の記録領域における空き領域の容量以下のデータ容量をもつ放送記録データについては、転送手段によって、外部の記録領域から、内部の記録領域に転送される。そのため、上記放送記録データについては、再生手段が再生を行う場合に、迅速に再生処理を行うことができる。すなわち、ユーザが再生しようとする放送記録データが外部の記録領域に存在し、内部の記録領域に転送する待ち時間が発生する可能性を低減することができる。
【００２０】
また、本発明に係る放送受信記録再生装置では、上記の構成において、上記転送手段は、上記外部の記録領域から上記内部の記録領域への放送記録データの転送を、記録手段によって内部の記録領域に記録された日時の新しい順に行うことが望ましい。
【００２１】
ここで、転送手段は、外部の記録領域から内部の記録領域への放送記録データの転送を、該放送記録データが記録手段によって内部の記録領域に記録された日時の新しい順に行うことが望ましい。
【００２２】
一般的に、記録手段によって内部の記録領域に記録された日時が新しい放送記録データは、ユーザにとって新しい情報であって、情報的価値が高く、ユーザが参照する可能性が高いことが推察される。そのため、このような放送記録データを予め内部の記録領域に転送しておくことで、高い確率でユーザの再生要求に迅速に応じることができる。
【００２３】
また、本発明に係る放送受信記録再生装置では、上記の構成において、さらに、上記転送手段は、上記内部の記録領域から放送記録データが削除されたときに、上記外部の記録領域から上記内部の記録領域への放送記録データの転送を行うことが望ましい。
【００２４】
上記転送手段は、内部の記録領域から放送記録データが、削除されたときに、内部の記録領域の空き領域の容量が増大するので、上記外部の記録領域から上記内部の記録領域への放送記録データの転送を行うようにしてもよい。
【００２５】
上記の構成によると、内部の記録領域の空き領域に、放送記録データを予め転送しておくので、ユーザからの再生要求があった場合、再生手段が内部の記録領域から、放送記録データを迅速に再生できる可能性が高くなる。
【００２６】
また、本発明に係る放送受信記録再生装置では、上記の構成において、上記退避手段が、上記内部の記録領域から上記外部の記録領域に移動すべき上記記録済みの放送記録データを選択する基準は、上記放送記録データの記録日時の古い順であることが望ましい。
【００２７】
この場合、上記内部の記録領域から上記外部の記録領域に移動すべき上記記録済みの放送記録データを選択する基準は、上記放送記録データの記録日時の古い順であってもよい。
【００２８】
記録日時が古い放送記録データは、ユーザにとって、既に新たな情報をもたらすものではなく、情報的価値が低下していることが推察される。
【００２９】
そのため、内部の記録領域により新しい放送記録データを格納できるよう、上記古い放送記録データを外部の記録領域に移動することが望ましい。これにより、ユーザにとって利用する可能性の高い、より新しい放送記録データを、内部の記録領域に残しておくことができる。その結果、ユーザにとって利用する可能性の高いデータを迅速に再生することができる。
【００３０】
もし、上記古い放送記録データを再生したいと思ったときは、改めて内部の記録領域に上記古い放送記録データを移動させてから再生をすればよい。
【００３１】
また、本発明に係る放送受信記録再生装置では、上記の構成において、さらに、上記外部の記録領域に記録されている放送記録データを削除するための指示である削除指示を行う外部記録領域解放手段を備えることが好ましい。
【００３２】
この場合、外部の記録領域に記録されている放送記録データを削除するための指示である削除指示を行う外部記録領域解放手段を備えていることが望ましい。
【００３３】
ここで、外部の記録領域における記録可能領域の容量は比較的大きいものを想定しているが、その容量は無限ではない。放送記録データを外部の記録領域に移動することを繰り返すうちに、情報的価値が低いと思われる放送記録データが記録領域にたまってしまい、空き領域を逼迫するという事態が生じる虞がある。そのため、外部の記録領域に記録されている放送記録データであって、すでに情報的価値が低下しているものについては削除指示できるようになっていることが望ましい。
【００３４】
この削除指示は、任意の時に実行可能であり、手動によるものでも、一定の条件下で自動によって実行するものでもよい。
【００３５】
情報的価値が低いと思われる放送記録データを削除することで、外部の記録領域の使用済み領域が解放され、再利用可能な空き領域の容量を確保することができる。
【００３６】
また、本発明に係る放送受信記録再生装置では、上記の構成において、さらに、上記外部記録領域解放手段は、上記外部の記録領域における空き領域の容量に基づいて、上記削除指示を行うことが望ましい。
【００３７】
また、上記外部記録領域解放手段が、上記削除指示を行うきっかけは、上記外部の記録領域における空き領域の容量に基づくものであってもよい。例えば、空き領域の容量が一定の水準を下回ったときに実行するように設定することができる。逆に、上記外部の記録領域における使用済み領域の容量が一定の水準を上回ったときに実行するように設定しても良い。
【００３８】
このように設定しておくことで、外部の記録領域の使用可能領域を使い切ってしまうことを防ぐことができる。
【００３９】
また、本発明に係る放送受信記録再生装置では、上記の構成において、さらに、上記外部記録領域解放手段が、上記削除指示を行うとき、外部の記録領域に記録されている放送記録データを選択する基準は、放送記録データが記録手段によって内部の記録領域に記録された日時について古い順であることが望ましい。
【００４０】
上記外部記録領域解放手段が、上記削除指示を行うとき、外部の記録領域に記録されている放送記録データを選択する基準は、放送記録データが記録手段によって内部の記録領域に記録された日時について古い順であってもよい。記録日時が古い放送記録データは、ユーザにとって、既に新たな情報をもたらすものではなく、情報的価値が低下していることが推察される。そのため、上記のように情報的価値が低下していると推察される放送記録データを選択し削除指示することが望ましい。
【００４１】
また、本発明に係る放送受信記録再生装置では、上記の構成において、さらに、上記内部の記録領域および上記外部の記録領域に記録されている放送記録データに関する一覧であるデータ一覧を作成して表示させるデータ一覧作成手段を備えることが好ましい。
【００４２】
上記の構成によれば、上記内部の記録領域および上記外部の記録領域に記録されている放送記録データに関するデータ一覧を作成して表示させる。上記データ一覧は、上記内部の記録領域および上記外部の記録領域に記録されている放送記録データに関する情報を網羅している。
【００４３】
そのため、上記データ一覧をユーザに対して示すことで、ユーザは上記内部の記録領域および上記外部の記録領域に記録されている放送記録データを把握することができる。
【００４４】
また、本発明に係る放送受信記録再生装置では、上記の構成において、上記データ一覧作成手段は、上記データ一覧において、放送記録データに関連付けられた識別子であって、上記内部の記録領域もしくは上記外部の記録領域の何れに記録されているかを識別可能な識別子を各放送記録データに付して表示させることが望ましい。
【００４５】
この場合、放送記録データが、上記内部の記録領域および上記外部の記録領域のうち、何れの記録領域に記録されているかをユーザが容易に識別できる。このため、上記外部の記録領域を再生する場合は、ダウンロードの時間がかかることを認識できる。
【００４６】
また、本発明に係る放送受信記録再生装置では、上記の構成において、上記外部の記録領域は、ネットワークを介して利用可能なサーバ装置に備えられていることが好ましい。
【００４７】
上記の構成によれば、外部の記録領域は、ネットワークを介してアクセス可能なサーバ装置に備えられている。そのため、外部の記録領域は、その構成に関して自由度を高めることができる。例えば、複数の記録装置から成る冗長構成を採用することによって、稼働率を向上させることもできる。他にも、記録装置を結合することによって、記録容量を大きくすることもできる。また、サーバ装置に接続される記録装置の接続形態は、サーバ装置から、専用のネットワークによって接続可能な共有ディスクであっても良い。
【００４８】
ここで、記録手段による記録が、外部の記録領域に対して行われるものであると仮定すると、上記のような、構成に関する自由度を得ることはできても、記録時にネットワーク通信が発生し、記録の速度面でも信頼性の面でも不利である。
【００４９】
しかしながら、本発明に係る放送受信記録再生装置は、放送記録データの記録は、内部の記録領域に対して行われる。そして、内部の記録領域の空き領域の容量が不足すれば、外部の記録領域に放送記録データを移動する。また、外部の記録領域に記録されている放送記録データは、いったん内部の記録領域に転送してから再生を行う。このとき、内部の記録領域の空き領域の容量が不足しているときは、外部の記録領域に他の放送記録データを移動する。
【００５０】
このため、内部の記録領域の持つ、外部の記録領域に対する速度面と信頼性の面で優れた特性と、外部の記録領域の持つ、内部の記録領域に対する、構成に関する自由度とを同時に享受できる構成となっている。
【００５１】
また、本発明に係る放送受信記録再生装置では、上記の構成において、放送信号を用いて放送される番組について、該番組の内容に関する情報と、上記番組が放送されるスケジュールに関する情報とを含む番組情報を取得する番組情報取得手段と、ユーザの嗜好を示す嗜好情報を取得する嗜好情報取得手段と、上記嗜好情報取得手段が取得した嗜好情報に応じた番組を抽出する番組抽出手段と、上記番組抽出手段が抽出した上記番組の番組情報に基づいて、抽出された番組の放送信号の記録を上記記録手段に指示する記録指示手段とをさらに備えることが望ましい。
【００５２】
上記の構成によれば、ユーザの嗜好情報に基づいてユーザが見たい番組を自動録画することができ、ユーザは見たい番組が放送されていない場合に、自動録画されたユーザの好みに合う番組をいつでも視聴することができる。
【００５３】
また、本発明に係る放送受信記録再生装置では、上記の構成において、上記嗜好情報取得手段は、上記放送記録データに対するユーザの嗜好性の度合いを示す嗜好度を取得するものであり、上記内部の記録領域および外部の記録領域は、上記放送記録データに関連付けて、ユーザの上記放送記録データに対する嗜好の度合いを示す嗜好度を記録でき、上記退避手段は、内部の記録領域に記録されている放送記録データについて、該放送記録データに関連付けられている嗜好度が低い順に基づいて、上記内部の記録領域から、上記外部の記録領域に移動すべき上記記録済みの放送記録データを選択することが望ましい。
【００５４】
また、上記外部の記録領域に移動すべき上記記録済みの放送記録データを選択する基準は、上記放送記録データに関連付けられている嗜好度が低い順であってもよい。嗜好度が低い放送記録データは、ユーザにとって、情報的価値が低いといえる。
【００５５】
そのため、内部の記録領域により情報的価値の高い放送記録データを格納できるよう、上記嗜好度が低い放送記録データを外部の記録領域に移動することが望ましい。もし、上記嗜好度が低い放送記録データを再生したいと思ったときは、改めて内部の記録領域に上記嗜好度が低い放送記録データを転送してから再生をすればよい。
【００５６】
また、本発明に係る放送受信記録再生装置では、上記の構成において、上記外部の記録領域に記録されている放送記録データを削除するための指示である削除指示を行う外部記録領域解放手段をさらに備え、上記嗜好情報取得手段は、上記放送記録データに対するユーザの嗜好性の度合いを示す嗜好度を取得するものであり、上記内部の記録領域および外部の記録領域は、上記放送記録データに関連付けて、ユーザの上記放送記録データに対する嗜好の度合いを示す嗜好度を記録でき、上記外部記録領域解放手段は、外部の記録領域に記録されている放送記録データについて、該放送記録データに関連付けられている嗜好度が低い順に基づいて、上記削除指示を行うことが望ましい。
【００５７】
上記外部記録領域解放手段が、上記削除指示を行うとき、外部の記録領域に記録されている放送記録データを選択する基準は、放送記録データに関連付けられている嗜好度が低い順であってもよい。嗜好度が低い放送記録データは、ユーザにとって、情報的価値が低いといえる。そのため、上記のように情報的価値が低い放送記録データを選択し削除指示することが望ましい。
【００５８】
また、本発明に係る放送受信記録再生装置では、上記の構成において、上記外部の記録領域に記録されている放送記録データであって、上記内部の記録領域における空き領域の容量以下のデータ容量をもつ放送記録データを、上記外部の記録領域から、上記内部の記録領域に転送する転送手段をさらに備え、上記嗜好情報取得手段は、上記放送記録データに対するユーザの嗜好性の度合いを示す嗜好度を取得するものであり、上記内部の記録領域および外部の記録領域は、上記放送記録データに関連付けて、ユーザの上記放送記録データに対する嗜好の度合いを示す嗜好度を記録でき、上記転送手段は、外部の記録領域に記録されている放送記録データについて、該放送記録データに関連付けられている嗜好度が高い順に基づいて、上記外部の記録領域から上記内部の記録領域への放送記録データの転送を行うことが望ましい。
【００５９】
ここで、転送手段によって、外部の記録領域から、内部の記録領域に転送する放送記録データは、該放送記録データに関連付けられている嗜好度が高い順とすることが望ましい。
【００６０】
高い嗜好度をもつ放送記録データは、ユーザにとって、情報的価値が高く、ユーザが参照する可能性が高いことが推察される。そのため、このような放送記録データを予め内部の記録領域に転送しておくことで、ユーザの再生要求に迅速に応じることができる。
【００６１】
上記の構成を備える、放送受信記録再生装置と、放送記録データを記録することのできる記録領域を備えるサーバ装置とを備えることを特徴とする放送受信記録再生システムでも、上述の効果を奏することができる。
【００６２】
なお、上記放送受信記録再生装置における各手段を、放送受信記録再生装置制御プログラムによりコンピュータに実行させることができる。さらに、上記放送受信記録再生装置制御プログラムをコンピュータ読取り可能な記録媒体に記憶させることにより、任意のコンピュータ上で上記放送受信記録再生装置制御プログラムを実行させることができる。
【発明の効果】
【００６３】
以上のように、記録しようとする上記放送記録データの容量が、上記内部の記録領域における空き領域の容量を超える場合、上記内部の記録領域から、記録済みの放送記録データを選択し、上記外部の記録領域に移動するので、内部の記録領域の容量不足を気にすることなく放送記録データを記録することが可能となる。
【発明を実施するための最良の形態】
【００６４】
本発明の実施の一形態について図１〜図１５に基づいて説明すれば、以下の通りである。なお、以下の図面及び説明において、同一の部材には同一の参照番号を付してある。それらの名称及び機能も同一である。したがってそれらについての詳細な説明は繰り返さない。
【００６５】
図２は、携帯通信端末装置としての携帯電話機２０の概観図である。同図に示すとおり、本実施の形態に係る放送受信記録再生装置は、携帯電話機２０に内蔵されていることを特徴としている。すなわち、携帯電話機２０は、ＴＶの放送信号を受信し、録画し、再生するＴＶ機能を備えている。また、携帯電話機２０は、ユーザの嗜好情報に基づいて番組を自動録画する機能も備えているものとする。
【００６６】
図３は本実施形態に係る放送受信記録再生装置の使用法についての概略を説明する図である。同図に示すように、本実施の形態では、携帯電話機２０はＴＶ機能を介して、テレビジョン放送の番組を放送する番組放送局１０の送信する放送信号によって伝播される番組と、上記番組が放送されるスケジュールに関する情報及び番組の内容を表す番組情報を受信したり、ユーザの嗜好情報に基づいて番組を自動録画したり、録画した番組データ、あるいは、受信中の番組を表示してユーザに視聴させたり、インターネットを介して録画した番組データをサーバ装置２５の外部記録領域２５ａにバックアップさせたりする放送受信記録再生装置として機能する。
【００６７】
（携帯電話機について）
次に、本実施形態の携帯電話機２０の構成について説明する。図４は、本実施形態の携帯電話機２０の要部のハードウェア構成を示すブロック図である。図示のように、携帯電話機２０は、アンテナ５２と、アンテナ６１と、主制御部１００と、音声出力部１１０と、音声入力部１１２と、操作部１１３と、表示部１１４と、リンガ１１６と、内部記録部（内部の記録領域）１１７と、音声処理部１８０と、ベースバンド処理部１８２と、ＲＦ処理部１８４と、回路閉結部１８６と、着信信号検出部１８８と、ＴＶ受信部（受信手段）１９０と、録画部（記録手段）１９２と、再生部（再生手段）１９４と、通信制御部２１０とを含む。
【００６８】
主制御部１００は、携帯電話機２０内の各種構成を統括的に制御するものである。主制御部１００の機能は、例えばＲＡＭ（Random Access Memory）やフラッシュメモリなどの記憶素子に記憶されたプログラムをＣＰＵ（Central Processing Unit）が実行することによって実現される。なお、主制御部１００の詳細については後述する。
【００６９】
音声処理部１８０は、音声入力部１１２からの音声信号を所定の音声データに変換してベースバンド処理部１８２に送信するとともに、ベースバンド処理部１８２からの音声データを音声信号に変換して音声出力部１１０に送信するものである。具体的には、音声処理部１８０は、Ａ／Ｄ変換器、Ｄ／Ａ変換器、アンプ、音声コーデック回路などを備えるオーディオインタフェース（オーディオＩ／Ｆ）である。
【００７０】
音声出力部１１０は、音声処理部１８０からの音声信号を音波に変換して外部に出力するものである。具体的には、音声出力部１１０は、レシーバ、スピーカ、音声出力用コネクタなどを備える構成である。通常、携帯電話機２０では、通話を行う場合にはレシーバが利用され、着信の報知やテレビ電話を行う場合にはスピーカが利用される。また、音楽を聴く場合には、周囲の人々に配慮して、音声出力用コネクタにヘッドホンが接続される。なお、音声出力部１１０は、レシーバ、スピーカ、および音声出力用コネクタの全てを備えている必要はなく、これらの少なくとも１つを備えていればよい。
【００７１】
音声入力部１１２は、外部から入力された音波を、電気信号である音声信号に変換して音声処理部１８０に送信するものである。具体的には、音声入力部１１２はマイクロフォンを備える構成である。
【００７２】
操作部１１３は、携帯電話機２０の表面に設けられた操作ボタンなどの入力デバイスであり、ユーザによって操作されると、操作データを作成して主制御部１００に送信するものである。入力デバイスとしては、ボタンスイッチの他にタッチパネルやモーションセンサーなどが挙げられる。
【００７３】
表示部１１４は、主制御部１００から画像データを受信し、受信した画像データに基づいて表示画面に画像を表示するものである。具体的には、表示部１１４は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備える構成である。
【００７４】
リンガ１１６は、主制御部１００からの指示に基づき、ユーザへの報知を行うものである。リンガ１１６が行う報知の例としては、音声出力部１１０から呼び出し音を出力させたり、偏心モータなどの振動素子を用いて携帯電話機２０を振動させたり、ＬＥＤ（light emitting diode）などの発光素子を用いて発光させたりすることが挙げられる。なお、リンガ１１６は、音声出力部１１０または表示部１１４で代用することもできる。
【００７５】
内部記録部１１７は、番組データを記録するメモリカード１１８と、携帯電話機２０の初期設定値、及び種々のアプリケーションプログラム等を記憶するための不揮発性のメモリ１２０とを含むデータ記録領域である。以降、内部記録部１１７という用語は、基本的にはメモリ１２０、メモリカード１１８の何れかを問わないような場合に、記録領域の総称としてのみ用いる。基本的には、話題となる対象がメモリ１２０、メモリカード１１８の何れか一方にのみについて成り立つような場合は、何れが対象となっているかを明記する。
【００７６】
ここで、メモリ１２０は、各種データおよびプログラムを記憶するものである。メモリ１２０の例としては、主制御部１００が動作するときに必要なプログラムや、通信制御データなどの固定データを記憶する読出し専用の半導体メモリであるＲＯＭ（Read Only Memory）と、バーコード認識や通信に関するデータ、演算に使用するデータ、および演算結果などを一時的に記憶する、いわゆるワーキングメモリとしてのＲＡＭと、各種の設定データ、撮影画像データ、電子メールデータなどを記録する書換え可能な不揮発性メモリ（例えばフラッシュメモリ）とが挙げられる。
【００７７】
また、本実施形態において、メモリ１２０は携帯電話機２０の嗜好性に関する情報を記録している。上記嗜好性に関する情報については後述する。
【００７８】
メモリカード１１８は、メモリ１２０に記録する撮影画像データ、電子メールデータなどを、バックアップ等を目的として、メモリ１２０の代わりに記録できる外部メモリである。また、一般的に、メモリカード１１８のほうが携帯電話機２０のメモリ１２０よりも、相対的に大きな記録容量を有しており、メモリ１２０に記録しきれないような大容量のデータも記録することできるという特徴がある。本実施の形態においては、メモリカード１１８は、着脱式のＩＣカードの形式をとっており、後述の録画部１９２において記録される動画情報も記録可能である。
【００７９】
回路閉結部１８６は、所定の制御信号に応答して、アンテナ５２を介した通信回線のオン／オフを制御するためのものである。
【００８０】
ベースバンド処理部１８２は、基地局との安全な信号の授受を行うために、ＲＦ処理部１８４に与える信号及びＲＦ処理部１８４を介して受ける信号に所定の信号処理を施すためのものである。
【００８１】
ＲＦ処理部１８４は、回路閉結部１８６及びアンテナ５２を介して基地局との間で授受する信号の強さの制御を行うためのものである。
【００８２】
着信信号検出部１８８は、アンテナ５２を介して基地局から受信した信号に基づき、別の拠点にあるほかの携帯電話機からの着信を検出して着信検出信号を出力するためのものである。
【００８３】
ＴＶ受信部１９０は、アンテナ６１を介してテレビジョン放送の番組を放送する番組放送局１０の送信する番組の画像・音声（および場合によっては付随する情報）及び番組情報を受信するものである。
【００８４】
録画部１９２は、メモリ１２０またはメモリカード１１８の何れか一方を選択し、ＴＶ受信部１９０が受信したテレビジョン放送の番組の画像・音声（および場合によっては付随する情報）を、選択したメモリ１２０またはメモリカード１１８の何れか一方に記録するものである。以降、録画部１９２が記録するテレビジョン放送の番組の画像・音声（および付随する情報）自体のことを、番組と称する。また、録画部１９２が行うテレビジョン放送の画像・音声（および付随する情報）の記録のことを、録画と称する。
【００８５】
ここで、上記付随する情報としては、放送信号によって画像・音声とともに伝播される文字情報などが挙げられる。なお、本実施の形態においては、説明の簡便化のために、録画部１９２は、録画する番組のデータを、メモリカード１１８に記録するものとする。しかしながら、これに限られず、設定によりメモリ１２０とメモリカード１１８の何れに録画するかを決定できるようにしてもよいし、より空き領域の容量の多いほうを優先的に選択して録画するようにしてもよい。
【００８６】
再生部１９４は、操作部１１３によってメモリカード１１８、あるいは、サーバ装置２５に備えられている外部記録領域２５ａに録画されている番組データが指定されると、該番組データを読み込み、表示部１１４において閲覧可能なように再生するものである。ただし、再生しようとした場合の動作の詳細については、再生制御部２５４の説明において述べる。
【００８７】
なお、本実施の形態において、上記ＴＶ受信部１９０、上記録画部１９２および上記再生部１９４は、主制御部１００によって制御されるものとしているが、これに限られず、専用の制御機構を備えていてもよい。すなわち、放送受信記録再生装置専用として動作する制御部を備えていてもよい。
【００８８】
通信制御部２１０は、上記音声処理部１８０、ベースバンド処理部１８２、ＲＦ処理部１８４、回路閉結部１８６、着信信号検出部１８８といった通信に関する処理部を統括的に制御するものである。
【００８９】
通信制御部２１０は、上記音声処理部１８０、ベースバンド処理部１８２、ＲＦ処理部１８４、回路閉結部１８６、表示部１１４、およびリンガ１１６を制御することにより、ユーザからの要求に応じて電話の呼を発信したり、着呼を処理したりして、ユーザと他の携帯通信端末との間の音声通話を行ったり、文字通信を行ったり、インターネットへの接続を行ったり、ユーザの入力する文字列に対する処理を行ったりする。
【００９０】
特に、図１に示すように、通信制御部２１０は、ネットワーク経由でサーバ装置２５にアクセス可能となっている。ここで、サーバ装置２５は、番組データを格納することができる外部記録領域２５ａを備えるサーバ装置である。サーバ装置２５は、クライアントにあたる携帯電話機２０からの要求に応じて、上記外部記録領域２５ａへのアクセスを受け付けることができる。
【００９１】
また、通信制御部２１０は、実質的にはＣＰＵ（中央演算処理装置）とソフトウェアとからなる。ソフトウェアは本実施の形態ではメモリ１２０に記憶されていて、適宜、通信制御部２１０に読出され、実行される。本実施の形態では、詳細は説明しないが、メモリ１２０の内容を書き換えることが可能であり、それによって携帯電話機２０による種々の機能のアップグレード及び追加を行うことができる。
【００９２】
（主制御部１００の詳細）
次に、本実施の形態に係る、携帯電話機２０における主制御部１００の詳細について図１を参照しながら以下に説明する。同図は主制御部１００の要部構成を示す図である。図示のように、主制御部１００は、退避部（退避手段）２５２と、転送部（転送手段）２５３と、再生制御部（再生制御手段）２５４と、削除部（削除手段）２５５と、外部記録領域解放部（外部記録領域開放手段）２５６と、データ一覧作成部（データ一覧作成手段）２５８と、自動録画部３００とを備える構成である。携帯電話機２０は、番組データを記録可能な内部の記録領域としての内部記録部１１７と、番組データを記録可能な外部の記録領域としての外部記憶領域２５ａとを利用可能である。
【００９３】
退避部２５２は、内部記録部１１７に録画されている番組データを、サーバ装置２５に備えられている外部記録領域２５ａへ移動するものである。録画部１９２が番組を録画する際に、メモリカード１１８の空き領域の容量が、番組を録画するために必要な番組データの容量よりも小さいとき、退避部２５２は、メモリカード１１８に録画されている番組データを、通信制御部２１０を介してネットワーク経由でサーバ装置２５に備えられている外部記録領域２５ａに移動する。
【００９４】
退避部２５２が、メモリカード１１８から外部記録領域２５ａに移動すべき上記記録済みの番組データを選択する基準は、上記番組データの記録日時の古い順であってもよい。これにより、ユーザにとって利用する可能性の高い、より新しい番組データを、メモリカード１１８に残しておくことができる。その結果、ユーザにとって利用する可能性の高い番組データを迅速に再生することができる。
【００９５】
転送部２５３は、サーバ装置２５に備えられている外部記録領域２５ａに記録されている番組データを、内部記録部１１７へ転送するものである。外部記録領域２５ａに記録されている番組データであって、メモリカード１１８の空き領域の容量以下のデータ容量をもつ番組データが存在する場合に、転送部２５３は、通信制御部２１０を介してネットワーク経由でサーバ装置２５に備えられている外部記録領域２５ａから、メモリカード１１８に番組データを転送する。そのため、上記番組データについては、再生部１９４が再生を行う場合に、迅速に再生処理を行うことができる。
【００９６】
転送部２５３は、外部記録領域２５ａからメモリカード１１８への番組データの転送を、録画部１９２によってメモリカード１１８に記録された日時の新しい順に行ってもよい。また、転送部２５３は、メモリカード１１８に記録されている番組データに関連付けられている嗜好度が高い順に基づいて、外部記録領域２５ａからメモリカード１１８への番組データの転送を行ってもよい。これらによれば、ユーザが参照する可能性が高い番組データを予めメモリカード１１８に転送しておくことができるので、高い確率でユーザの再生要求に迅速に応じることができる。
【００９７】
転送部２５３は、メモリカード１１８から番組データが削除されたときに、外部記録領域２５ａからメモリカード１１８への番組データの転送を行ってもよい。これにより、ユーザからの再生要求があった場合、再生部１９４がメモリカード１１８から、番組データを迅速に再生できる可能性が高くなる。
【００９８】
再生制御部２５４は、メモリカード１１８に録画されている番組データを再生する指示を操作部１１３から受けた場合は、そのまま、再生部１９４が、メモリカード１１８から番組データを再生するように指示をする。
【００９９】
一方、再生制御部２５４は、サーバ装置２５に備えられた外部記録領域２５ａに録画されている番組データを再生する指示を操作部１１３から受けた場合は、上記番組データをいったん、メモリカード１１８に転送してから、再生部１９４がメモリカード１１８から再生できるよう制御する。
【０１００】
すなわち、本実施の形態における再生部１９４は、サーバ装置２５に備えられた外部記録領域２５ａに録画されている番組データを、ストリーミング再生などの手法によって再生するようなことはしない。
【０１０１】
削除部２５５は、再生部１９４による番組データの再生が完了すると、その再生が完了した番組データを削除するものである。
【０１０２】
外部記録領域解放部２５６は、サーバ装置２５に備えられた外部記録領域２５ａに録画されている番組データを削除するよう、サーバ装置２５に削除指示を出すものである。本実施の形態においては、外部記録領域解放部２５６は、任意のタイミングでサーバ装置２５に備えられた外部記録領域２５ａの空き領域の容量を問い合わせするものとする。外部記録領域解放部２５６は、上記問い合わせから得られた、空き領域の容量に関する情報に基づいて、上記削除指示を行う。
【０１０３】
この削除指示が行われる条件として、例えば、上記空き領域の容量に関する情報を分析した結果、サーバ装置２５に備えられた外部記録領域２５ａの空き領域の容量が外部記録領域２５ａ全体に対して所定の割合、例えば３０パーセントを下回ったときというような条件が挙げられる。
【０１０４】
しかしながら、削除指示が行われる条件は、これに限られず、例えば、外部記録領域２５ａの空き領域の容量が所定サイズ、例えば１００メガバイトを下回ったときとしてもよい。
【０１０５】
また、外部記録領域解放部２５６が上記削除指示を行うときに外部記録領域２５ａに記録されている番組データを選択する基準は、番組データが録画部１９２によってメモリカード１１８に記録された日時について古い順であってもよい。また、外部記録領域解放部２５６は、外部記録領域２５ａに記録されている番組データが記録時点から所定日数を過ぎた場合に自動的に削除するようにしてもよい。
【０１０６】
また、外部記録領域解放部２５６が上記削除指示を行うときに外部記録領域２５ａに記録されている番組データを選択する基準は、番組データに関連付けられている嗜好度が低い順であってもよい。
【０１０７】
データ一覧作成部２５８は、メモリカード１１８およびサーバ装置２５に備えられた外部記録領域２５ａに録画されている番組データに関する情報を収集し、番組データの一覧を作成して表示させるものである。データ一覧作成部２５８は、上記データ一覧において、番組データに関連付けられた識別子であって、メモリカード１１８もしくは外部記録領域２５ａの何れに記録されているかを識別可能な識別子を各番組データに付して表示させることが好ましい。これにより、番組データが、メモリカード１１８および外部記録領域２５ａのうち、何れの記録領域に記録されているかを容易に識別できる。上記識別子としては、例えば、マークが挙げられる。
【０１０８】
自動録画部３００は、ユーザの番組に対する嗜好性を分析し、録画すべき番組を決定し、決定した番組をメモリ１２０に記録させるものである。また、自動録画部３００は、放送信号を用いて放送される番組の内容に関する情報と、番組のスケジュールに関する情報とを含む番組情報を取得する番組情報取得部と、ユーザの嗜好性の度合いを示す嗜好度を取得する嗜好度取得部と、上記嗜好度取得部が取得した上記嗜好度に応じた番組を抽出する番組抽出部と、上記番組抽出部が抽出した上記番組の番組情報に基づいて、抽出された番組の放送信号の記録を録画部１９２に指示する記録指示部とを備えている。上記嗜好度取得部は、ユーザの番組データに対する嗜好の度合いを示す嗜好度を取得し、番組データに関連付けて、ユーザの番組データに対する嗜好の度合いを示す嗜好度をメモリカード１１８および外部記録領域２５ａに記録させる。自動録画部３００の詳細については後述する。
【０１０９】
（番組録画処理）
ところで、本実施の形態における録画処理は、録画すべき番組の名称を示す録画番組名称と、該データに関連する録画開始時間および録画終了時間を含むリストが、予め携帯電話機２０内の、例えば、メモリ１２０に記録されているものとする。また、以降においては、上記リストのことを録画予約情報と称する。
【０１１０】
この録画予約情報は、後述するユーザの嗜好性に基づいて自動的に録画予約情報を作成する機能によって作成されていてもよいし、ユーザ自身が手動で作成していてもよいものとする。ただし、本発明の利点を最大限に享受するには、放送受信記録再生装置が何らかの形で自動的に録画予約情報を作成する機能を備えていることが望ましい。
【０１１１】
上記構成において、番組の録画処理について、図５を参照して説明すると以下の通りである。同図は携帯電話機２０の備える放送受信記録再生装置が番組データを録画する処理手順を説明した動作フローである。
【０１１２】
まず、メモリカード１１８に十分な、空き領域の容量があり、携帯電話機２０と、サーバ装置２５との間で、番組データの移動が発生しない通常の録画の場合は、ステップＳ１００において、録画部１９２は録画予約情報をメモリ１２０から読み出し、録画すべき番組が存在するか否かを判定する。このとき、録画すべき番組がなければ録画すべき番組が録画部１９２で検出されるまで待機する（ステップＳ１００においてＮＯ）。
【０１１３】
一方で、録画すべき番組が録画部１９２で検出された場合（ステップＳ１００においてＹＥＳ）、退避部２５２が、メモリカード１１８内に録画予約する番組を録画するだけの空き領域の容量があるか否かを判定し、十分な空き領域の容量が確認できた場合（ステップＳ１０２）は、録画部１９２は、録画開始時間まで待機し（ステップＳ１０８）、録画開始時間になると、録画すべき番組をメモリカード１１８に録画する（ステップＳ１１０）。
【０１１４】
また、メモリカード１１８に十分な空き領域の容量がない場合の動作については、まず、ステップＳ１００において、録画部１９２は録画予約情報を読み出し、録画すべき番組を検出し（ステップＳ１００においてＹＥＳ）、退避部２５２が、メモリカード１１８内に録画予約する番組を録画するだけの空き領域の容量があるか否かを判定する。
【０１１５】
そして、十分な空き領域の容量が無いことが判明した場合（ステップＳ１０２においてＮＯ）は、退避部２５２は、メモリカード１１８内に既に録画されている番組データの中から、ユーザが再生して視聴する可能性の低い番組データを決定する（ステップＳ１０４）。ここで、視聴する可能性の低い番組データを決定する条件としては、例えば、「録画してから最も時間が経過している」という条件や、「嗜好度が最も低い」という条件などが挙げられる。
【０１１６】
そして、退避部２５２は、通信制御部２１０を介してインターネット通信機能を利用して、サーバ装置２５に接続し、ステップＳ１０４で抽出された番組データをサーバ装置２５の外部記録領域２５ａに転送する（ステップＳ１０６）。退避部２５２は、転送が完了したら、これから録画予約する番組のために、メモリカード１１８内の当該番組データを削除して、録画に必要な記録領域の容量を確保する。
【０１１７】
このようにして、退避部２５２が、メモリカード１１８内に録画に必要な記録領域の容量を確保した後、録画部１９２は、録画開始時間まで待機し（ステップＳ１０８）、録画開始時間になったら番組データの録画を開始する（ステップ１１０）。
【０１１８】
ここで、本実施形態の番組録画処理の一例として、より具体的に、２００７年７月２２日の２２：００から２３：４８までの時間帯にチャンネル１０において放送される予定の番組、「日曜・バラエティ」の番組データを録画する場合について説明する。以後、上記のような録画予約情報を、「10ch 日曜・バラエティ 07/07/22 22:00-23:48」という形式で表記する。
【０１１９】
以下では、メモリカード１１８に録画できる番組データの総容量は１ＧＢ（Giga Byte）として説明する。
【０１２０】
ここで、メモリカード１１８に格納される、番組データのデータ格納形式の一例について図６を用いて説明する。同図の（ａ）は、メモリカード１１８に５つの番組データが録画されている状態について示した図である。図６の（ａ）に示すようなデータ格納形式で、メモリカード１１８に録画されている番組データを格納する。
【０１２１】
すなわち、上記データ格納形式は、番組データの放送チャンネルを示す「ｃｈ」と、番組データのタイトルを示す「タイトル」と、番組データを録画した日時を示す「録画日時」と、番組データの録画時間を示す「録画時間」と、録画された番組データの容量を示す「データサイズ」との項目を含む。以降、番組データを特定する際は、「タイトル」で特定する。
【０１２２】
なお、「録画時間」の単位は、「ＹＹＹＹ／ＭＭ／ＤＤ  ＨＨ：ＭＭ」形式で、それぞれ西暦／月／日  時：分を表しており、「データサイズ」の単位は、メガバイト（ＭＢ：Mega Byte）を採用している。また、データ一覧作成部２５８は、上記データ格納形式に基づいて、メモリカード１１８に録画されている番組データのリストを作成し、表示部１１４を介してユーザに提示できるものとする。
【０１２３】
ここで、メモリカード１１８にはすでに５つの番組データ、「ドラマ・日曜・コメディ」、「スポーツ・野球・Ａチーム vs Ｂチーム」、「スポーツ・サッカー・２００７大会」、「バラエティ・土曜」、「映画・ヒューマンドラマ」が録画されており、それぞれの録画日時は、「２００７／７／８  ２１：００」、「２００７／７／１２  １９：００」、「２００７／７／１３  ２２：３０」、「２００７／７／１４  ２２：００」、「２００７／７／２０  ２１：００」であり、総記録容量はそれぞれのデータサイズである「１１２」、「２３８」、「２５５」、「１０８」、「２２０」を加算して９３３ＭＢである。録画予約情報に含まれる番組データの録画に必要な記録容量は、放送時間から概算で求め、例えば２５０ＭＢの空き容量が必要であるとすると、残り６７ＭＢの容量の空き領域には録画できないので、退避部２５２が既に録画済みの番組データをサーバ装置２５の外部記録領域２５ａに移動することが必要になる。
【０１２４】
退避部２５２が移動する番組データを選択する基準は、番組データに関連付けられてメモリカード１１８に記録された嗜好度が低い番組、または録画日時が古い番組とする。
【０１２５】
ここでは、まず、退避部２５２が録画日時が古い番組を選択するものとする。
【０１２６】
この場合、退避部２５２は、まず、録画日時が最も古い、すなわち、録画してから最も時間が経過している番組「ドラマ・日曜・コメディ」の番組データを削除しても、１１２ＭＢ＋６７ＭＢを加算した総計１７９ＭＢの容量しか空き領域を確保できないので、録画予約の番組が録画できない。
【０１２７】
ここで、退避部２５２は、最も録画日時が古い番組「ドラマ・日曜・コメディ」の番組データを削除することなく、次に録画日時が古い番組「スポーツ・野球・ＡチームｖｓＢチーム」の番組データの容量を確認する。そして、この番組データを削除すると、２３８ＭＢと６７ＭＢとを加算した総計の３０５ＭＢの容量をもつ空き領域が確保できることが判明する。
【０１２８】
そこで、退避部２５２は、次に録画日時が古い番組「スポーツ・野球・ＡチームｖｓＢチーム」の番組データをサーバ装置２５の外部記録領域２５ａに移動し、メモリカード１１８からは、上記番組データを削除する。この結果、メモリカード１１８の記録領域において、３０５ＭＢの容量の空き領域が確保できる。
【０１２９】
その後、録画部１９２は、録画開始時間になると番組「日曜・バラエティ」の番組データの録画を行う。
【０１３０】
録画が完了すると、メモリカード１１８に記録されている番組データは、「ドラマ・日曜・コメディ」、「スポーツ・サッカー・２００７大会」、「バラエティ・土曜」、「映画・ヒューマンドラマ」、「バラエティ・日曜」となる。
【０１３１】
ここで、サーバ装置２５の外部記録領域２５ａに格納される、番組データの一例について説明しておく。本実施の形態において、サーバ装置２５の外部記録領域２５ａに格納される、番組データの格納形式は、基本的にはメモリカード１１８のものと同等であるとする。そのため、項目等の説明は省略する。
【０１３２】
上記の録画処理における例に当てはめると、番組データ録画前のサーバ装置２５の外部記録領域２５ａにおいては、図６の（ｂ）に示すとおり、「音楽・金曜」、「ドラマ・土曜」、「ドラマ・火曜」を含む番組データが存在しており、番組データ録画後のサーバ装置２５の外部記録領域２５ａにおいては、図７の（ｂ）に示すように、「音楽・金曜」、「ドラマ・土曜」、「ドラマ・火曜」に加えて新たに、「スポーツ・野球・Ａチーム vs Ｂチーム」の番組データが増えたことになる。
【０１３３】
次に、本実施形態の番組録画処理のさらに別の一例として、番組データに関連付けられてメモリカード１１８に記録された嗜好度が低い番組を選択する場合について説明する。ここで、メモリカード１１８およびサーバ装置２５の外部記録領域２５ａに記録されている番組データは、上記の例と同様、図６の（ａ）および（ｂ）に示す状態であるとする。また、上記の状態において、図示しない嗜好度が、番組データに関連付けられて設定されているものとする。メモリカード１１８に記録された５つの番組データのうちで、「ドラマ・日曜・コメディ」の嗜好度が最も低く、「スポーツ・サッカー・２００７大会」の嗜好度が次に低いものとする。
【０１３４】
この場合、嗜好度が一番低い番組「ドラマ・日曜・コメディ」の番組データを削除しても、１１２ＭＢ＋６７ＭＢを加算した総計１７９ＭＢの容量しか空き領域を確保できないので、録画予約の番組が録画できない。そこで、退避部２５２は、嗜好度が一番低い番組「ドラマ・日曜・コメディ」の番組データを削除することなく、次に嗜好度の低い「スポーツ・サッカー・２００７大会」をサーバ装置２５の外部記録領域２５ａに移動し、メモリカード１１８の記録領域から削除する。この番組データを削除すると、メモリカード１１８において、２５５ＭＢと６７ＭＢとを加算した総計３２２ＭＢの容量を持つ空き領域が確保できる。そこで、録画部１９２は、録画開始時間になると、番組「日曜ビックバラエティ」の番組データの録画を行う。
【０１３５】
録画が完了すると、メモリカード１１８内には、「ドラマ・日曜・コメディ」、「スポーツ・野球・Ａチーム vs Ｂチーム」、「バラエティ・土曜」、「映画・ヒューマンドラマ」、「バラエティ・日曜」の番組データが格納される。
【０１３６】
番組データ録画前のサーバ装置２５の外部記録領域２５ａにおいては、「音楽・金曜」、「ドラマ・土曜」、「ドラマ・火曜」を含む番組データが存在していたが、番組データ録画後のサーバ装置２５の外部記録領域２５ａにおいては、「音楽・金曜」、「ドラマ・土曜」、「ドラマ・火曜」に加えて新たに、「スポーツ・サッカー・２００７大会」の番組データが増えた状態になる。
【０１３７】
以上のように、メモリカード１１８において録画できる番組データの総容量を気にすることなく、番組データを録画することができる。また、サーバ装置２５の外部記録領域２５ａに移動する番組データはメモリカード１１８内に記録された番組データの内で、ユーザが再生する可能性の低い番組から順に移動するようにしているので、ユーザが再生したいと考える番組データがメモリカード１１８内に存在しないという事態が生じる可能性は低い。
【０１３８】
なお、番組録画処理において、番組データをメモリカード１１８に録画するとともに、サーバ装置２５の外部記録領域２５ａに、該番組データをバックアップする構成としてもよい。
【０１３９】
（番組再生処理）
次に、上記構成において、番組データの再生処理について、図８を参照して説明すると以下の通りである。同図は携帯電話機２０の備える放送受信記録再生装置が番組データを再生する処理手順を説明した動作フローである。
【０１４０】
すなわち、録画されている番組データを再生する際、携帯電話機２０は、図７の（ａ）および（ｂ）に示すような、メモリカード１１８およびサーバ装置２５の外部記録領域２５ａに録画されている番組データに関する情報を提示し（Ｓ２００）、ユーザからの選択を受け付ける。そして、再生制御部２５４が、ユーザの選択した内容から、再生すべき番組データを特定し（Ｓ２０２）、上記再生すべき番組データがメモリカード１１８に録画されている番組か否かを判定する（Ｓ２０４）。
【０１４１】
このとき、上記再生すべき番組データがメモリカード１１８に存在すると判定された場合（Ｓ２０４においてＹＥＳ）は、再生制御部２５４が、メモリカード１１８に存在する番組データを再生するよう再生部１９４に指示する。そして、再生部１９４において上記番組データが再生され（Ｓ２１４）、処理は終了する。
【０１４２】
一方、Ｓ２０４において、上記再生すべき番組データがメモリカード１１８に存在しないと判定された場合（Ｓ２０４においてＮＯ）、再生制御部２５４が、上記再生すべき番組データをサーバ装置２５の外部記録領域２５ａからメモリカード１１８に転送することを決定するが、ここでさらに、退避部２５２が、上記再生すべき番組データのデータサイズを確認し、メモリカード１１８に、その番組データを転送するだけの空き領域があるか否かを判定する（Ｓ２０６）。
【０１４３】
もし、メモリカード１１８に、上記再生すべき番組データを転送するだけの空き領域がないことが判明した場合（Ｓ２０６においてＮＯ）は、退避部２５２はメモリカード１１８内に既に録画されている番組データの中から、ユーザが再生して視聴する可能性の低い番組データを決定する（ステップＳ２０８）。ここで、視聴する可能性の低い番組データを決定する条件としては、例えば、録画してから最も時間が経過している番組データなどが挙げられるのは前述と同様である。
【０１４４】
そして、退避部２５２は、通信制御部２１０を介してインターネット通信機能を利用して、サーバ装置２５に接続し、ステップＳ２０８で抽出された番組データをサーバ装置２５の外部記録領域２５ａに転送する。転送が完了したら、これから録画予約する番組のために、メモリカード１１８内の当該番組データを削除して外部記録領域２５ａを解放する（Ｓ２１０）。
【０１４５】
このようにして、退避部２５２がメモリカード１１８内に録画に必要な記録領域の容量を確保した後、再生制御部２５４は、上記再生すべき番組データをサーバ装置２５の記録領域２５ａからメモリカード１１８に転送し（Ｓ２１２）、再生部１９４がメモリカード１１８から番組データを再生するよう制御する。再生部１９４において上記再生すべき番組データが再生され（Ｓ２１４）、その後、処理は終了する。
【０１４６】
また、Ｓ２０６において、メモリカード１１８に、上記再生すべき番組データを転送するだけの十分な空き領域があることが判明した場合（Ｓ２０６においてＹＥＳ）は、転送部２５３が、再生すべき番組データをサーバ装置２５の記録領域２５ａからメモリカード１１８に転送し（Ｓ２１２）、再生部１９４がメモリカード１１８から番組データを再生するよう制御する。再生部１９４において上記再生すべき番組データが再生され（Ｓ２１４）、その後、処理は終了する。
【０１４７】
なお、Ｓ２１４において、番組データを再生したあと、削除部２５５が該番組データを削除するようにしてもよい。上記の構成によれば、再生が完了した番組データは、ユーザが再生する可能性が低くなるものと推察されるので、削除することでメモリカード１１８の空き領域の容量が増大する。このため、制限の厳しいメモリカード１１８の記録領域を有効に活用できるようになる。また、ユーザの設定により、削除しないようにできることは当然である。
【０１４８】
また、Ｓ２００において提示する、メモリカード１１８およびサーバ装置２５の外部記録領域２５ａに録画されている番組データに関する情報の提示形式について好ましい例を、図９を用いて説明する。同図は、図７の（ａ）および（ｂ）が示す番組データに関する情報の提示形式の一例を示している。図示のとおり、メモリカード１１８およびサーバ装置２５の外部記録領域２５ａに録画されている番組データがすべてリスト表示されている。
【０１４９】
上記リスト表示は、データ一覧作成部２５８が、メモリカード１１８およびサーバ装置２５の外部記録領域２５ａに録画されている番組データに関する情報を収集することによって作成する。また、上記リスト表示は、前述した番組データのデータ格納形式の項目に基づいて作成される。
【０１５０】
上記リスト表示の項目としては、放送チャンネルを示す「ｃｈ」と、番組データを録画した日付を示す「録画日付」と、番組データのタイトルを示す「タイトル」と、メモリカード１１８およびサーバ装置２５の外部記録領域２５ａのうち、何れの場所に番組データが録画されているかを示す「マーク」を含む。「マーク」に「ｘ」が付されている番組データについては、該番組データがサーバ装置２５の外部記録領域２５ａに存在することを示している。
【０１５１】
また、上記リスト表示は、録画日付の降順にソートされている。そのため、「録画日付」の項目には、表示上、その項目が降順にソートされていることを示す矢印マークが付されている。
【０１５２】
スクロールバー５０は、メモリカード１１８およびサーバ装置２５の外部記録領域２５ａに録画されている番組データをリスト表示する際、一画面に収まらなかった場合に表示されるものであり、画面に表示されているリスト部分のリスト全体に対する相対的な位置を示している。上記スクロールバー５０が表示されているとき、操作部１１３からの操作に連動し、画面をスクロールできるものである。なお、図９に示すようなリスト表示において、番組データに対応した、番組に関する解説を、後述する番組情報管理ＤＢ４０２から取得し表示させるようにしてもよい。
【０１５３】
ここで、番組データの再生処理の一例について説明する。前述のように録画処理を行った後の、メモリカード１１８およびサーバ装置２５の外部記録領域２５ａの状態に基づいて番組データの再生処理について説明する。すなわち、図７の（ａ）に示すとおり、メモリカード１１８において、「ドラマ・日曜・コメディ」、「スポーツ・サッカー・２００７大会」、「バラエティ・土曜」、「映画・ヒューマンドラマ」、「バラエティ・日曜」の録画された番組データがあるものとし、サーバ装置２５の外部記録領域２５ａにおいては、図７の（ｂ）に示すとおり、「音楽・金曜」を含む番組データが録画されているものとする。
【０１５４】
この例では、図７の（ｂ）における「音楽・金曜」を携帯電話機２０に備えられている放送受信記録再生装置において再生するものとする。
【０１５５】
まず、図９のような録画番組リストを前述の番組データのリスト表示として表示させる。ここで、携帯電話機に備えられている放送受信記録再生装置は、上記リストから、「音楽・金曜」の番組データの選択を受け付ける。「音楽・金曜」はサーバ装置２５の外部記録領域２５ａに存在する番組データであるので、再生部１９４において上記番組データを再生するには、メモリカード１１８に上記番組データを転送する必要がある。装置内に録画されているか、サーバ内に録画されているかは、タイトルの右側のマークに「ｘ」のマークが付してあるかどうかで、簡単にユーザは判断できる。
【０１５６】
メモリカード１１８に録画できる番組データの総容量は１ＧＢであるため、このとき、メモリカード１１８の空き領域の容量は９０ＭＢである。サーバ装置２５の外部記録領域２５ａに存在する、番組データ「音楽・金曜」をメモリカード１１８に転送するためには、メモリカード１１８の空き領域の容量が１２２ＭＢ必要である。したがって、メモリカード１１８の空き領域の容量が不足していることが判明する。ここで、退避部２５２は、メモリカード１１８の空き領域の容量を確保するため、ユーザが再生する可能性が低い番組データをメモリカード１１８からサーバ装置２５の外部記録領域２５ａに移動する。
【０１５７】
この場合、録画日時が最も古い、すなわち、録画してから最も時間が経過している番組「ドラマ・日曜・コメディ」の番組データを削除することで、新たに１１２ＭＢの容量の空き領域を確保できるため、メモリカード１１８の空き領域の容量は総計２０２ＭＢとなる。そのため、「ドラマ・日曜・コメディ」の番組データが、退避部２５２によって、メモリカード１１８からサーバ装置２５の外部記録領域２５ａに移動される。そして、再生部１９４において、「音楽・金曜」の番組データが再生された後、メモリカード１１８から削除される。なお、ここでは、録画日時が最も古い番組データを削除したが、嗜好度が最も低い番組データを削除してもよい。
【０１５８】
メモリカード１１８およびサーバ装置２５の外部記録領域２５ａに記録されている番組データを、図１０を参照して説明する。同図は、メモリカード１１８とサーバ装置２５の外部記録領域２５ａとに記録されている番組データの状態の一例であって、上記再生処理を行った後の状態を示すものである。上記の処理を行ったあとのメモリカード１１８の状態は同図の（ａ）に示すとおり、図７の（ａ）に比べて、「ドラマ・日曜・コメディ」の番組データが無くなっている。また、「音楽・金曜」の番組データは、既に削除されているため同図の（ａ）には含まれない。
【０１５９】
一方、図１０の（ｂ）に示すとおり、図７の（ｂ）に比べて、サーバ装置２５の外部記録領域２５ａに記録されている番組データとして、「ドラマ・日曜・コメディ」の番組データが追加となっている。本実施の形態においては、図１０の（ｂ）に示すように「音楽・金曜」の番組データは、メモリカード１１８に転送されても、サーバ装置２５の外部記録領域２５ａにそのまま保持されている。しかしながら、これに限られず、メモリカード１１８に転送されたあと、削除するようにしてもよい。
【０１６０】
以上のように、サーバ装置２５に存在する番組データを、メモリカード１１８に転送してから、番組データを再生する場合においても、メモリカード１１８において録画できる番組データの総容量を気にすることなく、番組データを再生することができる。
【０１６１】
また、サーバ装置２５の外部記録領域２５ａに移動する番組データはメモリカード１１８内に記録された番組データの内で、ユーザが再生する可能性が低い番組から順に移動するようにしているので、ユーザが再生したいと考える番組データがメモリカード１１８内に存在しないという事態が生じる可能性は低い。
【０１６２】
次に、本実施の形態の好ましい変形例について説明する。
【０１６３】
（自動録画処理）
本発明の利点を最大限に享受するには、放送受信記録再生装置が何らかの形で自動的に録画予約情報を作成する機能を備えていることが望ましいという事実は前述の通りである。自動的に録画予約情報を作成する機能において、ユーザの関心の対象となるような番組を、番組情報から選択的に抽出することができれば、さらに好適であることはいうまでもない。
【０１６４】
なお、以下に説明する本実施形態の変形例においては、番組情報は、前述のとおり、放送信号によって伝播されるものを携帯電話機２０において受信したものを指すものとするが、番組情報は、これに限られず、携帯電話機２０の通信機能を介してインターネット上において提供されているものを取得したものや、メモリカード１１８などの記録媒体等により供給されるものとしてよい。
【０１６５】
以下に、ユーザの嗜好性を分析し、ユーザの関心の対象となるような番組を、番組情報から自動的に選出する方法について、図１１を参照しながら説明する。
【０１６６】
図１１は、図１の主制御部１００における、自動録画部３００を詳細に表したものである。自動録画部３００は、図示のとおり、番組情報取得部（番組情報取得手段）３０２と、嗜好度取得部（嗜好情報取得手段、嗜好度情報取得手段）３０４と、記録指示部（記録指示手段）３０６と、番組抽出部（番組抽出手段）３０８とを備えている。また、図示のとおり、嗜好性の分析のため、メモリ１２０において、番組情報管理データベース（以下「ＤＢ」と略記する）４０２、履歴情報管理ＤＢ４０４、ユーザプロファイルＤＢ４０６を保持するものとする。なお、本実施の形態において、番組情報管理ＤＢ４０２、履歴情報管理ＤＢ４０４、ユーザプロファイルＤＢ４０６のＤＢ群をメモリ１２０に備える構成としているが、これに限られず、ネットワーク経由でアクセス可能な、例えばサーバ装置２５の外部記録領域２５ａに備えていてもかまわない。
【０１６７】
より具体的には、番組情報管理ＤＢ４０２は、ＴＶ受信部１９０において受信した番組情報を格納するものである。番組情報管理ＤＢ４０２は、番組抽出部３０８または番組情報取得部３０２からのアクセスに応じて、番組抽出部３０８または番組情報取得部３０２に番組情報を送信する。本実施の形態において、上記番組情報は、番組の識別情報と、番組の名称と、番組の放送時間帯と、番組のジャンルと、および番組の内容とを含む情報である。しかしながら、上記の形態に限られず、例えば、番組情報の内容として、出演者や、番組制作者に関する情報を保持するものとしてもよい。
【０１６８】
履歴情報管理ＤＢ４０４は、操作部１１３がユーザから受け付けた操作であって、ＴＶを視聴した、番組データを再生した、手動で録画予約したといった操作に関する操作履歴情報を格納するものである。
【０１６９】
上記操作履歴情報は、番組情報を特定可能な番組の識別子と、操作を行った時間の開始および終了を示す操作時間と、ＴＶを視聴した、番組データを再生した、手動で録画予約したといった操作内容とを含む情報である。番組の識別子の例としては、番組タイトルが挙げられる。
【０１７０】
ユーザプロファイルＤＢ４０６は、ユーザの嗜好性を示す嗜好性情報を格納するためのものである。ユーザプロファイルＤＢ４０６は、後述するユーザ嗜好学習処理および録画番組抽出処理において利用される。
【０１７１】
本実施の形態において、ユーザプロファイルＤＢ４０６は、上記番組情報管理ＤＢ４０２の「番組のジャンル」の項目に基づく「ジャンル」、「番組の内容」に基づく「キーワード」、および上記「ジャンル」、「キーワード」に関する「統計情報」の項目を含む情報である。「統計情報」については、具体的には、対応する「ジャンル」および「キーワード」の組に関して、「出現頻度」、「放送回数」およびこれらから導き出される「嗜好度」の項目をさらに含んでいる。上記の項目の関連性については後に詳しく述べる。
【０１７２】
自動録画部３００は、番組情報取得部３０２と、嗜好度取得部３０４と、記録指示部３０６と、番組抽出部３０８と、を含む構成である。
【０１７３】
番組情報取得部３０２は、履歴情報管理ＤＢ４０４から、ユーザが視聴した番組データである再生履歴から、番組の識別子を抽出し、さらに該番組の識別子に対応づけて、番組情報管理ＤＢ４０２を読み出すことで、番組のジャンルおよび番組の内容を取得するものである。番組情報取得部３０２は、取得した番組のジャンルおよび番組の内容を、嗜好度取得部３０４に転送する。
【０１７４】
嗜好度取得部３０４は、番組情報取得部３０２から転送された、番組のジャンルおよび番組の内容を分析するものである。具体的には、「ＳＦ」や、「出演者の名称」など、特定の単語を、番組の内容からキーワードとして検出し、頻度および放送回数といった統計情報を算出し、さらに上記統計情報に基づいて番組のジャンルごとに嗜好度を算出する。
【０１７５】
嗜好度取得部３０４は、番組のジャンルに関連付けて、頻度、放送回数、嗜好度をユーザプロファイルＤＢ４０６に格納する。さらに、嗜好度取得部３０４は、ユーザプロファイルＤＢ４０６に格納されたキーワードごとの嗜好度と、メモリカード１１８に記録された番組データに対応する番組情報に含まれるキーワードとから、メモリカード１１８に記録された番組データについて、番組データごとの嗜好度を取得し、取得した嗜好度を番組データに関連付けてメモリカード１１８に記録させる。退避部２５２は、内部記録部１１７に録画されている番組データを、サーバ装置２５に備えられている外部記録領域２５ａへ移動するときに、番組データに関連付けて記録された嗜好度も、外部記録領域２５ａへ移動し、番組データに関連付ける。この結果、外部記録領域２５ａにも、番組データに関連付けて、ユーザの番組データに対する嗜好の度合いを示す嗜好度が記録される。
【０１７６】
番組抽出部３０８は、ユーザプロファイルＤＢ４０６に記録されている、キーワードおよび嗜好度を読み出し、嗜好度に基づいてキーワードを選択する。さらに、番組抽出部３０８は、番組情報管理ＤＢ４０２から、番組情報を読み出し、番組情報に関して上記キーワードの検索を行うことによって、キーワードが検出された番組情報をユーザの嗜好に合致するものとして抽出するものである。すなわち、番組抽出部３０８は、番組情報管理ＤＢ４０２の管理する番組情報の中から、嗜好情報に応じた番組情報を抽出する。
【０１７７】
そして、番組抽出部３０８は、ユーザの嗜好に合致する番組を特定する情報（例えば番組情報）を録画部１９２および表示部１１４へ出力する。これにより、ユーザが、映像信号および音声信号を録画部１９２に記録（録画）させたり、抽出された番組の視聴や、抽出された番組の番組情報の閲覧を表示部１１４へ指示したりすることができる。その結果、携帯電話機２０は、ユーザによるこれまでの視聴・操作履歴に基づいて、ユーザの好みの番組の映像信号および音声信号を、記録（録画）したり、表示部１１４に表示してユーザに視聴させたりすることができる。
【０１７８】
記録指示部３０６は、番組抽出部３０８が抽出した番組情報に基づいて、録画予約情報を作成するものである。記録指示部３０６は、録画部１９２に録画すべき番組を指定する。
【０１７９】
（ユーザ嗜好学習処理）
次に、上記構成において、番組データの自動録画のための、ユーザ嗜好学習処理について、図１２を参照して説明すると以下の通りである。同図は自動録画部３００がユーザの嗜好度を分析しユーザプロファイルＤＢ４０６を更新する処理手順を説明した動作フローである。
【０１８０】
なお、当該処理を行う時点は、例えば、操作部１１３が操作を受け付けた時点など、種々の時点が考えられるが、本実施形態では、一例として、前回、学習処理を行った時点から予め定められた期間が経過した時点の場合について説明する。
【０１８１】
すなわち、学習処理を行う時点になると、番組情報取得部３０２が、履歴情報管理ＤＢ４０４を読み出し、操作履歴情報を取得する（Ｓ３００）。ここで、処理すべき操作履歴情報が存在すれば（Ｓ３０２においてＮＯ）、番組情報取得部３０２は、当該操作履歴情報に含まれる番組情報の放送期間とチャンネルとを関連付けて番組情報管理ＤＢ４０２を参照し、対応する番組情報を取得する（Ｓ３０４）。
【０１８２】
そして、嗜好度取得部３０４が上記番組情報から「番組のジャンル」を取得し（Ｓ３０６）、さらに「キーワード」の抽出を行う（Ｓ３０８）。番組のジャンル、抽出された各キーワードに関連付けて、ユーザプロファイルＤＢ４０６における当該キーワードの出現頻度を更新する（Ｓ３１０）。
【０１８３】
上記Ｓ３００からＳ３１０までの処理は、未学習の履歴情報が存在する間、繰り返される。処理すべき履歴情報がなくなると（ステップＳ３０２において、ＹＥＳ）、番組情報取得部３０２は、前回、学習処理を行った時点以降に放送された番組の番組情報を番組情報管理ＤＢ４０２から取得し、嗜好度取得部３０４に転送する。嗜好度取得部３０４は、これらの番組情報に基づいて、ユーザプロファイルＤＢ４０６に記憶する各キーワードの放送回数を更新する（Ｓ３１２）。そして、ユーザプロファイルＤＢ４０６にて各キーワードに関連付けて記憶された出現頻度および放送回数に基づいて、当該キーワードの嗜好度が更新され、さらにユーザプロファイルＤＢ４０６に結果が書き込まれる（Ｓ３１４）。
【０１８４】
ここで、ユーザ嗜好学習処理の例について、図１３を参照しながら説明する。同図は、履歴情報管理ＤＢ４０４に格納されるデータの一例である。履歴情報管理ＤＢ４０４に格納されるデータは、前述の通り、番組の識別子（図１３の例では番組タイトル）、操作時間（開始時間および終了時間）、および操作内容の項目を含んでいる。
【０１８５】
図１３に示すとおり、履歴情報管理ＤＢ４０４に格納されている履歴情報は、６件あり、番組タイトルはそれぞれ「バラエティ・デイリー・早朝」、「バラエティ・デイリー・朝」、「バラエティ・木曜・生活」、「バラエティ・木曜・トーク」、「バラエティ・木曜・占い」、「映画・ＳＦ・宇宙」である。
【０１８６】
「バラエティ・デイリー・早朝」の履歴情報の操作時間は、「2007/7/17 6:50」から「2007/7/17 8:00」までの期間である。以降順に、「バラエティ・デイリー・朝」は、「2007/7/18 8:00」から「2007/7/18 9:00」まで、「バラエティ・木曜・生活」は、「2007/7/19 19:05」から「2007/7/19 19:58」まで、「バラエティ・木曜・トーク」は、「2007/7/19 19:58」から「2007/7/19 20:54」まで、「バラエティ・木曜・占い」は、「2007/7/19 21:03」から「2007/7/19 21:53」まで、「映画・ＳＦ・宇宙」は、「2007/7/20 0:50」から「2007/7/20 2:30」まで、という操作時間が設定されている。
【０１８７】
また、操作内容としては、各々の履歴情報において、番組が放送されるスケジュールにおいてリアルタイムで番組を視聴する操作が行われたことを示す「ライブ視聴」が設定されている。
【０１８８】
なお、「映画・ＳＦ・宇宙」の番組情報は、番組のジャンルが「映画」であり、番組の内容として「ＳＦ」というキーワードを含むものとする。
【０１８９】
上記履歴情報を履歴情報管理ＤＢ４０４が保持している場合、番組情報取得部３０２は、上記履歴情報を読み出すとともに、番組情報管理ＤＢ４０２から対応する番組情報を取得する。そして、嗜好度取得部３０４は、上記６件の履歴情報を順番に読み出して、該履歴情報に関する番組のジャンルを読み出す。ここで、６件目の「映画・ＳＦ・宇宙」の履歴情報から、該履歴情報に対応する番組情報についてジャンルは「映画」であることを認識し、さらにキーワードとして「ＳＦ」を検出する。その結果、嗜好度取得部３０４は、ジャンルが「映画」に属する番組について、キーワード「ＳＦ」について出現頻度を更新する。この例では、キーワード「ＳＦ」が検出された履歴情報が１件ある、すなわちキーワード「ＳＦ」にマッチした番組情報が１回視聴されているので、嗜好度取得部３０４は、出現頻度を１増加させる。
【０１９０】
こうして、すべての履歴情報を処理すると、嗜好度取得部３０４は、放送回数を更新する。ここでは、番組情報取得部３０２が取得した番組情報から、ジャンル「映画」においてキーワード「ＳＦ」を検出した番組情報は６件あったものとする。いいかえれば、キーワード「ＳＦ」にマッチし、しかも、ジャンルが「映画」に属する番組が、６回放送されたということである。この場合、嗜好度取得部３０４は、放送回数を６増加させる。
【０１９１】
ここで、ユーザプロファイルＤＢ４０６のユーザの嗜好性に関する情報の更新について図１４を用いて説明する。図１４の（ａ）は、上記ユーザ嗜好学習処理を行った場合における、ユーザプロファイルＤＢ４０６の更新前の状態を示しており、一方図１４の（ｂ）はその更新後の状態を示している。図１４の（ａ）に示すとおり、ユーザプロファイルＤＢ４０６は、ジャンルが「映画」、「スポーツ」である嗜好性情報を含んでいる。それぞれにおいてさらに詳しく見ていくと、ジャンルが「映画」である嗜好性情報は、「キーワード」が「女優」である嗜好性情報と、「ＳＦ」である嗜好性情報とにさらに分かれている。このほか、ジャンルが「映画」である嗜好性情報は、いくつもの「キーワード」に関する情報を保持できるが、説明は省略する。
【０１９２】
また、ジャンルが「映画」であって、「キーワード」が「女優」である嗜好性情報については、「出現頻度」および「放送回数」に、それぞれ、「５」および「１０」という値が保持されている。また、その「嗜好度」は「５０」である。
【０１９３】
本実施の形態において、嗜好度は、「出現頻度」の「放送回数」に対する割合に基づいて算出されるものとする。このため、「５」を「１０」で割った値「０．５」から、この値に１００を乗算し、嗜好度「５０」を得る。
【０１９４】
同様に、ジャンルが「映画」であって、キーワードが「ＳＦ」である嗜好性情報については、「出現頻度」、「放送回数」および「嗜好度」は、「４」、「９」および「４４」の値が保持されている。
【０１９５】
ここで、先ほどの結果である、ジャンル「映画」のキーワード「ＳＦ」の放送回数が６回であり、履歴情報から検出したキーワードの回数は１回であるという統計情報に基づいて、図１４の（ａ）に示すユーザプロファイルＤＢ４０６を更新すると、出現頻度が１増加し、放送回数が６増加して、図１４の（ｂ）に示す状態となる。すなわち、ジャンルが「映画」であって、キーワードが「ＳＦ」である嗜好性情報が更新され、「出現頻度」は、４に１を加えた値である「５」、「放送回数」は、９に６を加えた値である「１５」、および「嗜好度」は、５を１５で割った値である、「０．３３・・・」に１００を乗算し、小数点以下を四捨五入した値である「３３」に更新される。
【０１９６】
なお、上述した実施形態では、放送回数に対する出現回数の割合によって嗜好度を算出する構成について説明したが、これに限定されるものではない。例えば、出現頻度のみ、あるいは、出現頻度と時間との割合など、他の算出方法で嗜好度を算出してもよい。
【０１９７】
ただし、上述した実施形態では、嗜好度を算出する際に、全番組の番組情報にキーワードが含まれる頻度に応じて変化する情報である放送回数などを用いるので、全番組の番組情報にキーワードが含まれる頻度に応じて、嗜好度情報を変更できる。したがって、例えば、頻度の高いキーワードは、一般的なキーワードとして、嗜好度を低く推定するなど、頻度に応じた推定が可能になり、嗜好度を推定する際の精度を向上できる。
【０１９８】
また、上述した実施形態では、嗜好度を算出する際に、操作された番組の番組情報にキーワードが含まれる頻度に応じて変化する情報である出現回数などを用いているので、操作された番組の番組情報にキーワードが含まれる頻度に応じて、嗜好度情報を変更できる。したがって、例えば、操作対象の番組の番組情報により頻繁に出現するキーワードの嗜好度をより高く推定するなど、操作の回数に応じた推定が可能になり、嗜好度を推定する際の精度を向上できる。
【０１９９】
（録画番組抽出処理）
次に、上記構成において、番組データの自動録画のための、録画すべき番組の自動抽出処理について、図１５を参照して説明すると以下の通りである。同図は自動録画部３００がユーザの嗜好度の分析結果に基づいて録画すべき番組を自動抽出する処理手順を説明した動作フローである。
【０２００】
まず、番組抽出部３０８は、番組情報管理ＤＢ４０２を参照することで番組情報を読み出す（Ｓ４００）。そして、番組抽出部３０８は、ユーザプロファイルＤＢ４０６から、嗜好度の項目に所定の閾値以上の値を保持している嗜好性情報を抽出しキーワードを特定する（Ｓ４０２）。
【０２０１】
Ｓ４０２にて読み出されたキーワードがなくなるまでの間（Ｓ４０４においてＮＯの間）、Ｓ４０２からＳ４０６までの処理を繰り返し、逐次、番組情報の「番組のタイトル」や「番組の内容」に記載されている番組の内容を説明する文章からキーワードを検索する（Ｓ４０６）。ここで、キーワードが検出された番組情報については、自動録画の対象の候補となる。
【０２０２】
一方、読み出されたキーワード全てについて、処理が完了すると（Ｓ４０４においてＹＥＳ）、自動録画の対象の番組が決定される（Ｓ４１０）。
【０２０３】
なお、Ｓ４１０において録画対象となる番組の数を制限しておくことも可能である。そして、Ｓ４１０の前に、番組を並べ替える処理を行っても良い。すなわち、検索したキーワードに対応する嗜好度によって、番組を並べ替え、嗜好度の高いキーワードによって検出された番組を優先的に自動録画の対象として選択してもよい。
【０２０４】
次に、嗜好度取得部３０４が番組データごとの嗜好度を取得する方法について説明する。
【０２０５】
嗜好度取得部３０４は、各番組データについて、その番組データの番組情報に含まれるキーワードの嗜好度の総計を求め、求めた総計をその番組データの嗜好度とする。例えば、ある番組データの番組情報が「ＳＦ」というキーワードを含み、図１４（ａ）に示すように「ＳＦ」というキーワードの嗜好度が４４であったとすれば、その番組データの嗜好度は、４４となる。また、他の番組データの番組情報が「女優」というキーワードと「ＳＦ」というキーワードとを含み、図１４（ａ）に示すように「女優」というキーワードの嗜好度が５０、「ＳＦ」というキーワードの嗜好度が４４であったとすれば、その番組データの嗜好度は、５０＋４４＝９４となる。
【０２０６】
本発明の実施の形態に係る別の変形例を以下に開示する。すなわち、再生済み番組データを削除することで、メモリカード１１８に所定以上の空き領域の容量が確保できた場合、サーバ装置２５の外部記録領域２５ａに録画されている番組データを自動的にメモリカード１１８へ転送するようにすることが可能である。
【０２０７】
このとき、サーバ装置２５の外部記録領域２５ａの番組データを選択する基準としては、嗜好度が高い順や、録画日時が最も新しい順などが挙げられる。上記のような選択基準によって選択された番組データは、ユーザが再生する可能性が高いと考えられるので、ユーザの要求に迅速に対応できるようになることが期待される。
【０２０８】
また、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２０９】
なお、上述した実施の形態では、放送受信記録再生装置が携帯電話機２０に内蔵されていたが、本発明の放送受信記録再生装置は、これに限られるものではなく、携帯電話機以外の無線通信端末装置、例えばＴＶ機能を持つノートパソコンなどであってもよく、据え置き型の通信端末装置、例えば、記録再生機能を持つ据え置き型のテレビ受像機や、据え置き型の録画装置などであってもよい。
【０２１０】
また、上述した実施形態では、携帯通信端末装置２０を構成する各部材が、「ＣＰＵなどの演算手段がＲＯＭやＲＡＭなどの記録媒体に格納されたプログラムコードを実行することで実現される機能ブロックである」場合を例にして説明した。したがって、上述した実施形態に係る携帯電話機２０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。
【０２１１】
しかしながら、上記携帯通信端末装置２０を構成する各部材と同様の処理を行うハードウェアで携帯通信端末装置を実現してもよい。また、処理の一部を行うハードウェアと、当該ハードウェアの制御や残余の処理を行うプログラムコードを実行する上記演算手段とを組み合わせても携帯通信端末装置を実現することができる。さらに、上記各部材のうち、ハードウェアとして説明した部材であっても、処理の一部を行うハードウェアと、当該ハードウェアの制御や残余の処理を行うプログラムコードを実行する上記演算手段とを組み合わせても実現することができる。なお、上記演算手段は、単体であってもよいし、装置内部のバスや種々の通信路を介して接続された複数の演算手段が共同してプログラムコードを実行してもよい。
【０２１２】
上記演算手段によって直接実行可能なプログラムコード自体、または、後述する解凍などの処理によってプログラムコードを生成可能なデータとしてのプログラムは、当該プログラム（プログラムコードまたは上記データ）を記録媒体に格納し、当該記録媒体を配付したり、あるいは、上記プログラムを、有線または無線の通信路を介して伝送するための通信手段で送信したりして、携帯電話機等の携帯通信端末装置に配付され、上記演算手段が記録媒体に格納されたプログラムまたは受信したプログラムを実行することによって、携帯通信端末装置が実現される。
【０２１３】
通信路を介して伝送する場合、通信路を構成する各伝送媒体が、プログラムを示す信号列を伝搬し合うことによって、当該通信路を介して、上記プログラムが伝送される。この場合、プログラムは、上記伝送媒体または通信経路を構成する装置において、流動的に坦持される。また、信号列を伝送する際、送信装置が、プログラムを示す信号列により搬送波を変調することによって、上記信号列を搬送波に重畳してもよい。すなわち、本発明は、上記プログラムが電子的な伝送で具現化された、搬送波に埋め込まれたコンピュータデータ信号の形態でも実現され得る。この場合、受信装置が搬送波を復調することによって信号列が復元される。一方、上記信号列を伝送する際、送信装置が、デジタルデータ列としての信号列をパケット分割して伝送してもよい。この場合、受信装置は、受信したパケット群を連結して、上記信号列を復元する。また、送信装置が、信号列を送信する際、時分割／周波数分割／符号分割などの方法で、信号列を他の信号列と多重化して伝送してもよい。この場合、受信装置は、多重化された信号列から、個々の信号列を抽出して復元する。いずれの場合であっても、通信路を介してプログラムを伝送できれば、同様の効果が得られる。
【０２１４】
なお、コンピュータがモデム等を備えて通信ネットワークと接続できる場合、コンピュータが上記通信ネットワークから上記プログラムをダウンロードしてもよい。すなわち、携帯通信端末装置２０を通信ネットワークと接続可能に構成し、上記プログラムを通信ネットワークを介して携帯通信端末装置２０に供給してもよい。上記通信ネットワークから上記プログラムをダウンロードするためのダウンロードプログラムは、予め本体装置に格納されていてもよいし、あるいは、別の記録媒体からインストールされてもよい。上記通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０２１５】
ここで、プログラムを配付する際の記録媒体は、取外し可能である方が好ましいが、プログラムを配付した後の記録媒体は、取外し可能か否かを問わない。また、上記記録媒体は、プログラムが記憶されていれば、書換え（書き込み）可能か否か、揮発性か否か、記録方法および形状を問わない。記録媒体の一例として、磁気テープやカセットテープなどのテープ、あるいは、フロッピー（登録商標）ディスクやハードディスクなどの磁気ディスク、または、ＣＤ−ＲＯＭ、ＣＤ−Ｒや光磁気ディスク（ＭＯ）、ミニディスク（ＭＤ）やデジタルビデオディスク（デジタル多用途ディスク）などのディスクが挙げられる。また、記録媒体は、ＩＣ（集積回路）カードや光カードのようなカード、あるいは、マスクＲＯＭやＥＰＲＯＭ（紫外線消去型ＲＯＭ）、ＥＥＰＲＯＭ（電気的消去型ＲＯＭ）またはフラッシュＲＯＭなどのような半導体メモリであってもよい。あるいは、ＣＰＵなどの演算手段内に形成されたメモリであってもよい。また、上記記録媒体には、上記プログラムだけではなく、当該プログラムによってアクセスされるデータや他の任意のデータを記憶していてもよい。
【０２１６】
なお、上記プログラムコードは、上記各処理の全手順を上記演算手段へ指示するコードであってもよいし、所定の手順で呼び出すことで、上記各処理の一部または全部を実行可能な基本プログラム（例えば、オペレーティングシステムやライブラリなど）が既に存在していれば、当該基本プログラムの呼び出しを上記演算手段へ指示するコードやポインタなどで、上記全手順の一部または全部を置き換えてもよい。
【０２１７】
また、上記記録媒体にプログラムを格納する際の形式は、例えば、実メモリに配置した状態のように、演算手段がアクセスして実行可能な格納形式であってもよいし、実メモリに配置する前で、演算手段が常時アクセス可能なローカルな記録媒体（例えば、実メモリやハードディスクなど）にインストールした後の格納形式、あるいは、ネットワークや搬送可能な記録媒体などから上記ローカルな記録媒体にインストールする前の格納形式などであってもよい。また、プログラムは、コンパイル後のオブジェクトコードに限るものではなく、ソースコードや、インタプリトまたはコンパイルの途中で生成される中間コードとして格納されていてもよい。いずれの場合であっても、圧縮された情報の解凍、符号化された情報の復号、インタプリト、コンパイル、リンク、または、実メモリへの配置などの処理、あるいは、各処理の組み合わせによって、上記演算手段が実行可能な形式に変換可能であれば、プログラムを記録媒体に格納する際の形式に拘わらず、同様の効果を得ることができる。
【０２１８】
一例として、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどの演算手段が実際の処理の一部または全部を行い、その処理によって、上述した実施の形態の各機能を実現してもよい。
【０２１９】
なお、本発明は、以下のようにも表現できる。
【０２２０】
（１）番組データを受信する番組データ受信部を備えた番組録画再生装置であって、番組のスケジュールに関する情報と番組の内容に関する情報とを含む番組情報を取得する番組情報取得手段と、ユーザの嗜好を示す嗜好情報を取得する嗜好情報取得手段と、嗜好情報に応じた番組を抽出する番組抽出手段と、抽出された番組データを録画する番組録画手段と、録画した番組データをサーバに保存する番組バックアップ手段と、番組録画手段により録画された番組または番組バックアップ手段によりサーバにバックアップされた番組を再生する番組再生手段とを備えたことを特徴とする番組録画再生装置。
【０２２１】
（２）上記番組バックアップ手段は、新たに番組を録画する際に、装置内の番組データ記録領域が所定不足していると判定した場合に、所定の条件に従って既に録画済みの番組をサーバにバックアップすることを特徴とする（１）に記載の番組録画再生装置。
【０２２２】
（３）上記番組バックアップ手段は、サーバ内で予め設定されているバックアップ割り当て容量にバックアップした番組データの総容量が達した場合に、所定の条件に従ってバックアップした番組データを自動的に削除することを特徴とする（１）に記載の番組録画再生装置。
【０２２３】
（４）上記番組バックアップ手段は、サーバ内にバックアップした番組データが所定日数を過ぎた場合に自動的に削除することを特徴とする（１）に記載の番組録画再生装置。
【０２２４】
（５）上記所定の条件は、録画済み番組の録画日時が古い順であることを特徴とする（２）または（３）に記載の番組録画再生装置。
【０２２５】
（６）上記所定の条件は、録画済みの番組に対する嗜好度が低い順であることを特徴とする請求項（２）または（３）に記載の番組録画再生装置。
【０２２６】
（７）上記番組再生手段は、装置内の録画済みの番組の番組情報とサーバ内にバックアップされた番組の番組情報を一覧表示する機能を備えたことを特徴とする（１）に記載の番組録画再生装置。
【０２２７】
（８）上記番組再生手段は、上記一覧表示の際に、装置内の番組データ記録領域かサーバ内の番組データ記憶領域のいずれに記録されているかを識別できるマークを付して表示することを特徴とする（７）に記載の番組録画再生装置。
【０２２８】
（９）上記番組再生手段は、サーバ内にバックアップされた番組が再生対象の番組として選択され、選択された番組データを装置内の番組データ記録領域に保存するだけの記録領域が不足している場合に、装置内に録画されている他の番組データをサーバにバックアップした後、選択された番組データを記録領域にダウンロードすることを特徴とする（１）に記載の番組録画再生装置。
【０２２９】
（１０）上記番組再生手段は、ユーザが再生を指示した番組の再生を完了すると、再生した番組のデータを削除することを特徴とする（１）に記載の番組録画再生装置。
【０２３０】
（１１）上記番組再生手段は、再生を完了することにより、装置内の番組データ記憶領域が所定以上開いた場合に、所定の条件に従ってサーバにバックアップ済みの番組データを端末内にダウンロードすることを特徴とする（１０）に記載の番組録画再生装置。
【０２３１】
（１２）上記所定の条件は、録画済み番組の録画日時が新しい順であることを特徴とする（１１）に記載の番組録画再生装置。
【０２３２】
（１３）上記所定の条件は、録画済みの番組に対する嗜好度が高い順であることを特徴とする（１１）に記載の番組録画再生装置。
【０２３３】
（１４）番組のスケジュールに関する情報と番組の内容に関する情報とを含む番組情報を取得する番組情報取得工程と、ユーザの嗜好を示す嗜好情報を取得する嗜好情報取得工程と、嗜好情報に応じた番組を抽出する番組抽出工程と、抽出された番組データを録画する番組録画工程と、録画した番組データをサーバに保存する番組バックアップ工程と、番組録画工程により録画された番組または番組アックアップ工程によりサーバにバックアップされた番組を再生する番組再生工程とを含んでいることを特徴とする番組録画再生方法。
【０２３４】
（１５）上記（１）ないし（１３）のいずれか１つに記載の番組録画再生装置の各手段として、コンピュータを動作させるプログラム。
【０２３５】
（１６）上記（１５）記載のプログラムが記録されているコンピュータ読み取り可能な記録媒体。
【産業上の利用可能性】
【０２３６】
本発明によれば、記録領域の容量の制限が厳しい放送受信記録再生装置であっても、他の記録領域、例えば、ネットワークを介して接続可能なサーバ装置に備えられている記録領域を利用可能な状態にすることで、容量不足を気にすることなく受信した放送信号を記録することができる。さらに、放送受信記録再生装置がユーザの嗜好にあった番組を自動的に録画する機能を備えている場合、ユーザが好きな時に好きな場所で録画された番組を視聴できる放送受信記録再生装置を実現でき、ＴＶ機能を備えた携帯電話機を始めとする種々のシステムに広く好適に使用できる。
【図面の簡単な説明】
【０２３７】
【図１】本発明の一実施形態に係る放送受信記録再生装置を備えた携帯電話機の制御部の要部構成を示すブロック図である。
【図２】本発明の一実施形態に係る携帯電話機の外観を示す図である。
【図３】本発明の一実施形態に係る放送受信記録再生装置を備えた携帯電話機の利用形態を概念的に示す模式図である。
【図４】本発明の一実施形態に係る放送受信記録再生装置を備えた携帯電話機の構成を示すブロック図である。
【図５】本発明の一実施形態を示すものであり、番組録画処理の処理手順を示すフロー図である。
【図６】本発明の一実施形態に係る放送受信記録再生装置の記録領域における番組データの記録状態を示す図である。（ａ）はメモリカードの状態であり、（ｂ）はサーバ装置の外部記録領域の状態を示している。
【図７】本発明の一実施形態に係る放送受信記録再生装置の記録領域における番組データの記録状態を示す図である。（ａ）はメモリカードの状態であり、（ｂ）はサーバ装置の外部記録領域の状態を示している。
【図８】本発明の一実施形態を示すものであり、番組再生処理の処理手順を示すフロー図である。
【図９】本発明の一実施形態を示すものであり、番組データのデータ一覧の一例を示す図である。
【図１０】本発明の一実施形態に係る放送受信記録再生装置の記録領域における番組データの記録状態を示す図である。（ａ）はメモリカードの状態であり、（ｂ）はサーバ装置の記録領域の状態を示している。
【図１１】本発明の一実施形態に係る放送受信記録再生装置を備えた携帯電話機の制御部の要部構成を示すブロック図である。
【図１２】本発明の一実施形態を示すものであり、ユーザ嗜好学習処理の処理手順を示すフロー図である。
【図１３】本発明の一実施形態に係る履歴情報管理ＤＢに格納されている再生履歴の状態を示す図である。
【図１４】本発明の一実施形態に係るユーザプロファイルＤＢに格納されている嗜好性情報の状態を示す図である。
【図１５】本発明の一実施形態を示すものであり、録画番組抽出処理の処理手順を示すフロー図である。
【符号の説明】
【０２３８】
２０    携帯電話機（放送受信記録再生装置）
２５    サーバ装置
２５ａ  外部記録領域（外部の記録領域）
１００    主制御部
１１３    操作部
１１４    表示部
１１７    内部記録部（内部の記録領域）
１１８    メモリカード
１２０    メモリ
１９０    ＴＶ受信部（受信手段）
１９２    録画部（記録手段）
１９４    再生部（再生手段）
２１０    通信制御部
２５２    退避部（退避手段）
２５３    転送部（転送手段）
２５４    再生制御部（再生制御手段）
２５５    削除部（削除手段）
２５６    外部記録領域解放部（外部記録領域解放手段）
２５８    データ一覧作成部（データ一覧作成手段）
３００    自動録画部
【図１】
0004790680.tif 000002
【図２】
0004790680.tif 000003
【図３】
0004790680.tif 000004
【図４】
0004790680.tif 000005
【図５】
0004790680.tif 000006
【図６】
0004790680.tif 000007
【図７】
0004790680.tif 000008
【図８】
0004790680.tif 000009
【図９】
0004790680.tif 000010
【図１０】
0004790680.tif 000011
【図１１】
0004790680.tif 000012
【図１２】
0004790680.tif 000013
【図１３】
0004790680.tif 000014
【図１４】
0004790680.tif 000015
【図１５】
0004790680.tif 000016